(57)【特許請求の範囲】
【請求項１】
ユーザ機器（２２２）からチャネル状態情報を取得するための第１の基地局（２１０）における方法であって、当該第１の基地局（２１０）は、無線通信システム（２００）に含まれ、当該無線通信システム（２００）は、前記ユーザ機器（２２２）をさらに含み、
第１のチャネル情報に基づいて、第１のサブフレームのセットについて第１のオフセット値を推定すること（４０３）と、前記第１のサブフレームのセットのサブフレームは、第１のタイプであることと、
第２のチャネル情報に基づいて、第２のサブフレームのセットについて第２のオフセット値を推定すること（４０４）と、前記第２のサブフレームのセットのサブフレームは、第２のタイプであることと、
前記ユーザ機器（２２２）へ、推定した前記第１のオフセット値及び推定した前記第２のオフセット値を送信すること（４０５）と、
前記ユーザ機器（２２２）からチャネル状態情報を取得すること（４０７）と、
当該チャネル状態情報は、推定した前記第１のオフセット値及び推定した前記第２のオフセット値に基づいていることと、
当該チャネル状態情報は、前記第１の基地局（２１０）において送信のために使用されることと、
を含む方法。
【請求項２】
前記第１のチャネル情報及び／又は前記第２のチャネル情報は、負荷情報、位置情報、アウターループリンク適応動作の統計、リファレンス信号値、及び他のチャネル情報、のうちの１つ以上を含む、請求項１に記載の方法。
【請求項３】
前記第１のオフセット値を推定すること（４０３）及び前記第２のオフセット値を推定すること（４０４）は、それぞれ前記第１のサブフレームのセット及び前記第２のサブフレームのセットについて、リファレンス信号のリソースエレメント（ＲＥ）で測定される第１の信号対干渉及び雑音比（ＳＩＮＲ）と物理ダウンリンク共有チャネル（ＰＤＳＣＨ）のリソースエレメント（ＲＥ）で測定される第２のＳＩＮＲとの間の比率差を推定することにより実行される、請求項１〜２のいずれかに記載の方法。
【請求項４】
前記無線通信システム（２００）は、少なくとも１つの第２の基地局（２１２）をさらに含み、前記方法は、
前記ユーザ機器（２２２）から、前記第１の基地局（２１０）についてのリファレンス信号値及び前記少なくとも１つの第２の基地局（２１２）についての第２のリファレンス信号値、を含むチャネル情報を受信すること（４０１）と、
当該チャネル情報は、前記第１のチャネル情報及び前記第２のチャネル情報の双方として使用されることと、
前記第１の基地局（２１０）についての前記リファレンス信号値と前記少なくとも１つの第２の基地局（２１２）についての前記第２のリファレンス信号値との間の差異を判定すること（４０２）と、
当該差異は、リファレンス信号のＲＥで測定される前記第１のＳＩＮＲとＰＤＳＣＨのＲＥで測定される前記第２のＳＩＮＲとの間の前記比率差を推定する際に使用されることと、
を含む、
請求項３に記載の方法。
【請求項５】
前記方法は、
双方のサブフレームのセットについて、物理ダウンリンク共有チャネル（ＰＤＳＣＨ）のリソースエレメント（ＲＥ）の電力レベルと共通リファレンス信号（ＣＲＳ）のＲＥの電力レベルとの間の想定される比を示す第１の電力レベル値を、前記ユーザ機器（２２２）へ送信すること（４０６）、
をさらに含む、請求項１に記載の方法。
【請求項６】
前記方法は、
前記第１のサブフレームのセットについての第２の電力レベル値と、前記第２のサブフレームのセットについての第３の電力レベル値とを、前記ユーザ機器（２２２）へ送信すること（４０６）と、
前記第２の電力レベル値は、前記第１のサブフレームのセットについての物理ダウンリンク共有チャネル（ＰＤＳＣＨ）のリソースエレメント（ＲＥ）の電力レベルと共通リファレンス信号（ＣＲＳ）のＲＥの電力レベルとの間の想定される比を示すことと、
前記第３の電力レベル値は、前記第２のサブフレームのセットについてのＰＤＳＣＨのＲＥの電力レベルとＣＲＳのＲＥの電力レベルとの間の想定される比を示すことと、
をさらに含む、請求項１〜５のいずれかに記載の方法。
【請求項７】
第１の基地局（２１０）へチャネル状態情報を送信するためのユーザ機器（２２２）における方法であって、当該ユーザ機器（２２２）は、無線通信システム（２００）に含まれ、当該無線通信システム（２００）は、前記第１の基地局（２１０）をさらに含み、
第１のタイプのサブフレームについてのリファレンス信号に基づいて、第１の信号対干渉及び雑音比（ＳＩＮＲ）を推定すること（５０２）と、
第２のタイプのサブフレームについてのリファレンス信号に基づいて、第２のＳＩＮＲを推定すること（５０３）と、
前記第１の基地局（２１０）から、前記第１のタイプのサブフレームについての第１のオフセット値及び前記第２のタイプのサブフレームについての第２のオフセット値を受信すること（５０４）と、
推定した前記第１のＳＩＮＲ及び受信した前記第１のオフセット値に基づいて、第１の補償されたＳＩＮＲを生成すること（５０６）と、
推定した前記第２のＳＩＮＲ及び受信した前記第２のオフセット値に基づいて、第２の補償されたＳＩＮＲを生成すること（５０７）と、
生成した前記第１の補償されたＳＩＮＲ及び生成した前記第２の補償されたＳＩＮＲに基づいて、チャネル状態情報を計算すること（５０８）と、
計算した前記チャネル状態情報を前記第１の基地局（２１０）へ送信すること（５０９）と、
を含む方法。
【請求項８】
前記第１のタイプのサブフレームについての前記リファレンス信号及び前記第２のタイプのサブフレームについての前記リファレンス信号は、チャネルインパルス応答、干渉、及び雑音レベル、のうちの１つ以上を推定するために使用され、第１のＳＩＮＲを推定すること（５０２）及び第２のＳＩＮＲを推定すること（５０３）は、チャネルインパルス応答、干渉、及び雑音レベル、のうちの１つ以上の前記推定に基づいて行われる、請求項７に記載の方法。
【請求項９】
前記第１のタイプのサブフレームについての前記リファレンス信号及び前記第２のタイプのサブフレームについての前記リファレンス信号は、前記第１の基地局（２１０）から受信（５０１）されるリファレンス信号であり、当該リファレンス信号は、共通リファレンス信号（ＣＲＳ）又はチャネル状態情報リファレンス信号（ＣＳＩ−ＲＳ）である、請求項８に記載の方法。
【請求項１０】
前記方法は、前記第１の基地局（２１０）から、第１の電力レベル値を受信すること（５０５）、をさらに含み、
前記第１の補償されたＳＩＮＲを生成すること（５０６）及び前記第２の補償されたＳＩＮＲを生成すること（５０７）は、受信した前記第１の電力レベル値にさらに基づく、
請求項７〜９のいずれかに記載の方法。
【請求項１１】
前記方法は、前記第１の基地局（２１０）から、第１のタイプのサブフレームについての第２の電力レベル値及び第２のタイプのサブフレームについての第３の電力レベル値を受信すること（５０５）、をさらに含み、
前記第１の補償されたＳＩＮＲを生成すること（５０６）は、受信した前記第２の電力レベル値にさらに基づき、
前記第２の補償されたＳＩＮＲを生成すること（５０７）は、受信した前記第３の電力レベル値にさらに基づく、
請求項７〜９のいずれかに記載の方法。
【請求項１２】
第１のタイプのサブフレームについての第１のオフセット値及び第２のタイプのサブフレームについての第２のオフセット値を受信すること（５０４）は、前記第１のタイプの前記サブフレームについての前記第１のオフセット値を暗黙的に含む第４の電力レベル値、及び前記第２のタイプの前記サブフレームについての前記第２のオフセット値を暗黙的に含む第５の電力レベル値を受信すること、を含み、
前記第１の補償されたＳＩＮＲを生成すること（５０６）は、受信した前記第４の電力レベル値にさらに基づき、
前記第２の補償されたＳＩＮＲを生成すること（５０７）は、受信した前記第５の電力レベル値にさらに基づく、
請求項７〜９のいずれかに記載の方法。
【請求項１３】
前記チャネル状態情報は、ＣＱＩ（Channel  Quality  Indicator）、ＰＭＩ（Preferred  Matrix  Indicator）及びＲＩ（Rank  Indicator）のうちの少なくとも１つを含み、前記ＣＱＩ、ＰＭＩ及びＲＩは、チャネルの推定、干渉の推定、雑音レベルの推定、生成した前記第１の補償されたＳＩＮＲ、及び生成した前記第２の補償されたＳＩＮＲのうちの１つ以上に基づいて計算（５０８）される、請求項７〜１２のいずれかに記載の方法。
【請求項１４】
ユーザ機器（２２２）からチャネル状態情報を取得するように構成される第１の基地局（２１０）であって、当該第１の基地局（２１０）は、無線通信システム（２００）に含まれ、当該無線通信システム（２００）は、前記ユーザ機器（２２２）をさらに含み、
第１のチャネル情報に基づいて、そのサブフレームが第１のタイプである第１のサブフレームのセットについて第１のオフセット値を推定し、第２のチャネル情報に基づいて、そのサブフレームが第２のタイプである第２のサブフレームのセットについて第２のオフセット値を推定する、ように構成される推定回路（７０１）と、
前記ユーザ機器（２２２）へ、前記第１のサブフレームのセットについての推定された前記第１のオフセット値及び前記第２のサブフレームのセットについての推定された前記第２のオフセット値を送信するように構成される第１の送信回路（７０２）と、
前記ユーザ機器（２２２）からチャネル状態情報を取得するように構成される第１の受信回路（７０３）と、
を備え、
前記チャネル状態情報は、推定された前記第１のオフセット値及び推定された前記第２のオフセット値に基づいており、
前記チャネル状態情報は、前記第１の基地局（２１０）において送信のために使用される、
第１の基地局（２１０）。
【請求項１５】
前記推定回路（７０１）は、それぞれ前記第１のタイプのサブフレーム及び前記第２のタイプのサブフレームについて、リファレンス信号（ＲＳ）のリソースエレメント（ＲＥ）で測定される第１の信号対干渉及び雑音比（ＳＩＮＲ）と物理ダウンリンク共有チャネル（ＰＤＳＣＨ）のリソースエレメント（ＲＥ）で測定される第２のＳＩＮＲとの間の比率差を推定することにより、前記第１のオフセット値を推定し及び前記第２のオフセット値を推定する、ように構成される、請求項１４に記載の第１の基地局（２１０）。
【請求項１６】
前記無線通信システム（２００）は、少なくとも１つの第２の基地局（２１２）をさらに含み、前記第１の基地局（２１０）は、
前記ユーザ機器（２２２）から、前記第１の基地局（２１０）についてのリファレンス信号値及び前記第２の基地局（２１２）についての第２のリファレンス信号値を含む、前記第１のチャネル情報及び前記第２のチャネル情報の双方として使用されるチャネル情報を受信するように構成される第２の受信回路（７０４）と、
前記第１の基地局（２１０）についての前記リファレンス信号値と前記第２の基地局（２１２）についての前記第２のリファレンス信号値との間の差異を判定するように構成される判定回路（７０５）と、
をさらに備え、
前記差異は、リファレンス信号のＲＥで測定される前記第１のＳＩＮＲとＰＤＳＣＨのＲＥで測定される前記第２のＳＩＮＲとの間の前記比率差を推定する際に使用される、
請求項１５に記載の第１の基地局（２１０）。
【請求項１７】
前記第１の基地局（２１０）は、
双方のサブフレームのセットについて、物理ダウンリンク共有チャネル（ＰＤＳＣＨ）のリソースエレメント（ＲＥ）の電力レベルと共通リファレンス信号（ＣＲＳ）のＲＥの電力レベルとの間の想定される比を示す第１の電力レベル値を、前記ユーザ機器（２２２）へ送信するように構成される第２の送信回路（７０６）、
をさらに備える、請求項１４〜１６のいずれかに記載の第１の基地局（２１０）。
【請求項１８】
前記第１の基地局（２１０）は、
前記第１のサブフレームのセットについての第２の電力レベル値と、前記第２のサブフレームのセットについての第３の電力レベル値とを、前記ユーザ機器（２２２）へ送信するように構成される第２の送信回路（７０６）、
をさらに備え、
前記第２の電力レベル値は、前記第１のサブフレームのセットについての物理ダウンリンク共有チャネル（ＰＤＳＣＨ）のリソースエレメント（ＲＥ）の電力レベルと共通リファレンス信号（ＣＲＳ）のＲＥの電力レベルとの間の想定される比を示し、
前記第３の電力レベル値は、前記第２のサブフレームのセットについてのＰＤＳＣＨのＲＥの電力レベルとＣＲＳのＲＥの電力レベルとの間の想定される比を示す、
請求項１４〜１６のいずれかに記載の第１の基地局（２１０）。
【請求項１９】
第１の基地局（２１０）へチャネル状態情報を送信するように構成されるユーザ機器（２２２）であって、当該ユーザ機器（２２２）は、無線通信システム（２００）に含まれ、当該無線通信システムは、前記第１の基地局（２１０）をさらに含み、
第１のタイプのサブフレームについてのリファレンス信号に基づいて、第１の信号対干渉及び雑音比（ＳＩＮＲ）を推定し、第２のタイプのサブフレームについてのリファレンス信号に基づいて、第２のＳＩＮＲを推定する、ように構成される推定回路（８０１）と、
前記第１の基地局（２１０）から、第１のタイプのサブフレームについての第１のオフセット値を受信し及び第２のタイプのサブフレームについての第２のオフセット値を受信する、ように構成される第１の受信回路（８０２）と、
推定された前記第１のＳＩＮＲ及び受信された前記第１のオフセット値に基づいて、第１の補償されたＳＩＮＲを生成し、及び推定された前記第２のＳＩＮＲ及び受信された前記第２のオフセット値に基づいて、第２の補償されたＳＩＮＲを生成する、ように構成される生成回路（８０３）と、
生成された前記第１の補償されたＳＩＮＲ及び生成された前記第２の補償されたＳＩＮＲに基づいて、チャネル状態情報を計算するように構成される計算回路（８０４）と、
計算された前記チャネル状態情報を前記第１の基地局（２１０）へ送信するように構成される送信回路（８０５）と、
を備えるユーザ機器（２２２）。
【請求項２０】
前記ユーザ機器は、前記第１の基地局（２１０）から第１の電力レベル値を受信するように構成される第３の受信回路（８０７）、をさらに備え、
前記生成回路（８０３）は、受信された前記第１の電力レベル値にさらに基づいて、前記第１の補償されたＳＩＮＲを生成し及び前記第２の補償されたＳＩＮＲを生成する、ようにさらに構成される、
請求項１９に記載のユーザ機器（２２２）。
【請求項２１】
前記ユーザ機器は、前記第１の基地局（２１０）から、第１のタイプのサブフレームについての第２の電力レベル値及び第２のタイプのサブフレームについての第３の電力レベル値を受信するように構成される第３の受信回路（８０７）、をさらに備え、
前記生成回路（８０３）は、受信された前記第２の電力レベル値にさらに基づいて前記第１の補償されたＳＩＮＲを生成し、及び受信された前記第３の電力レベル値にさらに基づいて前記第２の補償されたＳＩＮＲを生成する、ようにさらに構成される、
請求項１９に記載のユーザ機器（２２２）。
【発明の詳細な説明】
【技術分野】
【０００１】
ここでの実施形態は、一般的に、基地局における方法、ユーザ機器における方法、基地局及びユーザ機器に関する。具体的には、実施形態は、無線通信システムにおけるチャネル状態フィードバックの取得及び送信に関する。
【背景技術】
【０００２】
第３世代パートナーシッププロジェクト（３ＧＰＰ）は、ＵＭＴＳ（Universal  Mobile  Telecommunication  System）及びＬＴＥ（Long  Term  Evolution）の標準化について責任を有する。３ＧＰＰによるＬＴＥについての成果は、Ｅ−ＵＴＲＡＮ（Evolved  Universal  Terrestrial  Access  Network）とも呼ばれる。ＬＴＥは、ダウンリンク及びアップリンクの双方において高データレートに到達可能な、高速のパケットベースの通信を実現するための技術であり、ＵＭＴＳと比較して次世代の移動体通信システムとして考えられている。
【０００３】
ＬＴＥでは、直交周波数分割多重（ＯＦＤＭ）がダウンリンクにおいて使用される。ＬＴＥの物理リソースは時間−周波数グリッドとして理解されてよく、各リソースエレメント、即ちグリッド内の各矩形は、１つのＯＦＤＭシンボル間隔の期間中の１本のＯＦＤＭサブキャリアに相当する。ＬＴＥにおけるリソース割当ては、リソースブロック（ＲＢ）を単位として記述され、サブフレームは、リソースブロックのペア、即ち２つの時間的に連続するリソースブロック、を含む。サブフレームの制御領域（control  region）は、例えば、ダウンリンクスケジューリング割り当て及びアップリンクスケジューリング許可といった制御情報が送信される、物理ダウンリンク制御チャネル（ＰＤＣＣＨ）を含む。データ領域では、データは、物理ダウンリンク共有チャネル（ＰＤＳＣＨ）上で送信される
【０００４】
時間−周波数グリッド内のリソースエレメントのいくつかは、既知のシンボルであるリファレンスシンボルを送信するために使用され、リファレンスシンボルは、受信機によってコヒーレント復調を実行する目的でチャネル推定のために使用され得る。リファレンス信号とも呼ばれ得るリファレンスシンボルは、モビリティ測定のため、及びユーザ機器により実行されるアップリンク電力制御のためにも使用される。ＬＴＥでは、セル固有のリファレンスシンボル、即ち共通リファレンス信号（ＣＲＳ）が全てのダウンリンクサブフレーム内で送信される。ＣＲＳは、セル内の全てのユーザ機器にとって共通であるため、ＣＲＳの送信は、容易には個々のユーザ機器のニーズに合うように適合され得ない。ＬＴＥリリース１０の時点で、ＰＤＳＣＨの復調のための別個のユーザ機器固有のリファレンス信号と、ユーザ機器からのチャネル状態情報（ＣＳＩ）フィードバックの目的でのチャネルの測定のための別個のリファレンス信号と、を伴う新たなリファレンス信号のコンセプトが導入された。ユーザ機器からのチャネル状態情報フィードバックの目的でのチャネルの測定のためのリファレンス信号は、チャネル状態情報リファレンス信号（ＣＳＩ−ＲＳ）と呼ばれる。ＣＳＩ−ＲＳは、毎サブフレーム送信されるのではなく、概して、復調のために使用されるリファレンス信号よりも時間及び周波数において疎らである。ＣＳＩ−ＲＳの送信は、無線リソース制御（ＲＲＣ）によって構成される周期性パラメータ及びＲＲＣによって構成されるサブフレームオフセットに従って、５個、１０個、２０個、４０個又は８０個のサブフレームごとに生じ得る。
【０００５】
無線ネットワークにおいてより高いデータレートについての需要は増加しつつあり、そうしたネットワークの開発者にチャレンジを課している。より高いデータレートについての要件を満たすための１つのアプローチは、ヘテロジーニアスネットワーク（ＨｅｔＮｅｔ）、即ち、例えば異なる送信電力で動作する複数の基地局といったノード群を含むネットワークを配備することである。高い送信電力で動作する基地局は、ここでマクロ基地局と記述され、より低い送信電力で動作する基地局は、ここではピコ基地局と記述される。ＨｅｔＮｅｔは、よって、マクロセルのレイアウトにわたってピコ基地局が配置されるような配備を含む。低い送信電力で動作している基地局のセルは、例えば、ピコセル若しくはクローズド加入者グループ（ＣＳＧ）セル又はマイクロセルのいずれかであり得る。
【０００６】
ユーザ機器におるセル選択は、典型的には、様々な基地局の送信電力の影響を含むダウンリンクの受信電力に基づく。これは、ピコ基地局に向けたパスロスがより低いのだがマクロ基地局がそのより高い送信電力に起因して依然として選択されるという、ピコ基地局の周囲を囲む“インバランスエリア（imbalance  area）”につながる。送信電力が同じであるアップリンク方向では、ユーザ機器は、そのエリア内でもピコ基地局へ接続される方がよいであろう。ピコ基地局の送信電力を増加させることによって、ピコ基地局のセルサイズを増加させることはできる。しかしながら、そのようにすることは、基地局のコスト及びサイズに影響し、そしてサイトの可用性を制限する。ピコ基地局のレンジを、ピコ基地局の選択を優遇するセル選択オフセットを用いることによって拡大することもできる。これは、最良の基地局、即ちピコ基地局においてアップリンク信号が受信されることにつながり、マクロの負荷をより大きく引き下げる（offloads）。これらの恩恵は、しかしながら、ピコセルの境界上のユーザについてのマクロ基地局からのより高いダウンリンク干渉を代償として、もたらされる。
【０００７】
よって、ＨｅｔＮｅｔでは、セル間干渉協調（ＩＣＩＣ）についての解決策が特に重要である。１つのアプローチは、マクロレイヤ及びピコレイヤからの送信を時間において分離することであり、時間ドメインＩＣＩＣと呼ばれることがある。これは、あるサブフレームにおいて与干渉側の（interfering）マクロ基地局を静寂化（silence）することにより達成され得る。ＬＴＥリリース１０は、いくつかの物理チャネル上で送信電力を低減し若しくは送信電力を無しとし、又はアクティビティを低減するサブフレームである、ＡＢＳ（Almost  Blank  Subframes）を導入した。低減されたダウンリンク送信電力を伴うＡＢＳは、ＲＰＳＦ（Reduced  Power  SubFrames）とも呼ばれ得る。それでも、基地局は、ユーザ機器に向けた後方互換性を保証するために、必要な制御チャネル及び物理信号並びにシステム情報をＡＢＳにおいて送信し得る。その代わりに、ＡＢＳにおいてこれら信号を送信する必要性は、ＡＢＳパターンの慎重な選択によって回避され得る。ＡＢＳ及びＲＰＳＦは、よって、制御チャネルの信頼し得る送信とピコセルの境界付近のユーザ機器へのＰＤＳＣＨの効率的な送信とを保証する目的において関係性を有する。ＡＢＳが構成される場合、マクロセル及びピコセルの配備は、運用者によって統合的に計画され、セルは時間合わせされる（time-aligned）。ピコセルは、局所的に拡張されたキャパシティ又は改善された屋内のカバレッジを提供することができる。
【０００８】
ＨｅｔＮｅｔでは、マルチキャストブロードキャスト単一周波数ネットワーク（ＭＢＳＦＮ）ＡＢＳ及び非ＭＢＳＦＮ  ＡＢＳという２つのＡＢＳの設定があり、双方ともネットワークの計画後に事業者によって構成され、双方の構成がここで説明される実施形態に適用可能である。復調及びチャネル品質の監視を支援するためのチャネルインパルス応答を推定し及び測定するために、ダウンリンクリファレンス信号が使用されてもよい。ダウンリンクリファレンス信号は、セル固有リファレンス信号、即ち、ここではＣＲＳ又はＣＳＩ−ＲＳのいずれかであると見なされる。マクロセル及びピコセルを伴うＨｅｔＮｅｔの配備において、いずれのセル内のリファレンス信号も衝突型の（colliding）リファレンス信号又は非衝突型のリファレンス信号として構成され、これは、ピコセルにおけるリファレンス信号がマクロセルにおけるリファレンス信号と衝突し又は衝突しないことを意味する。異なるセルにおけるＣＲＳが同じ時間周波数グリッド内にある場合、ＣＲＳが衝突している（colliding）とされる。
【０００９】
ＨｅｔＮｅｔでは、ピコセルの境界付近にいる当該ピコセル内のユーザ機器にとって、マクロのリファレンス信号の強度は、ピコのリファレンス信号のそれよりも格段に強いかもしれない。一例として、ＬＴＥリリース１０においてマクロのリファレンス信号の強度はピコのリファレンス信号の強度よりも約０〜６ｄＢ強く、ＬＴＥリリース１１では約６〜１２ｄＢ強い。制御チャネルの信頼し得る送信及びＰＤＳＣＨの効率的な送信を確保するために、ピコセルの境界に近いユーザ機器について、３ＧＰＰ  ＴＳ３６．４２３（バージョン１０．２．０及びセクション９．２．５４）では、マクロセルにおいてＡＢＳが構成され、物理ブロードキャストチャネル（ＰＢＳＨ）、プライマリ同期信号（ＰＳＳ），セカンダリ同期信号（ＳＳＳ）及びリファレンス信号のみが送信され、他のデータチャネルは送信されない。よって、ＡＢＳでは、ピコセルの境界付近にいるユーザ機器はデータチャネルについて低いマクロ干渉を経験し、逆に非ＡＢＳでは、非常に高いマクロ干渉を経験する。一方で、ピコセルの中央付近にいるユーザ機器について、マクロ信号はピコ信号との比較において常に相対的に低く、よってピコセルの中央付近のユーザ機器について干渉は常に低い。図１に、干渉レベルとＡＢＳとの間の関係の一例が示されている。図１に例示したように、マクロ基地局（マクロｅＮＢ）は、ＡＢＳ及び非ＡＢＳを有し得る。図１においてピコＵＥ１として例示されている、ピコセルの境界付近のユーザ機器は、マクロｅＮＢにおけるＡＢＳであるサブフレームに対応するサブフレームにおいて、低いマクロ干渉を経験する。ピコＵＥ１は、マクロｅＮＢにおける非ＡＢＳであるサブフレームに対応するサブフレームにおいて、高いマクロ干渉を経験する。図１においてピコＵＥ２として例示されている、ピコセルの中央付近のユーザ機器は、全てのサブフレームにおいて低いマクロ干渉を経験する。
【００１０】
ＨｅｔＮｅｔにおいてピコセル内のユーザ機器により経験される干渉レベルはマクロＡＢＳから来るのかマクロ非ＡＢＳから来るのかで異なり得ることから、サブフレームについてユーザ機器において測定されるチャネル状態情報は同じではないはずであり、これはチャネル状態情報の計算において全てのサブフレームにわたる平均化が忌避されるべきであることを意味する。チャネル状態情報は、ＣＱＩ（Channel  Quality  Indicator）、ＰＭＩ（Preferred  Matrix  Indicator）及びＲＩ（Rank  Indicator）のうちの１つ以上を含み得る。これは、３ＧＰＰ  ＴＳ３６．２１１（バージョン１０．０．０及びセクション６．１０）で議論されており、２つのサブフレームセットＣＳＩ＿０及びＣＳＩ＿１が測定のためにユーザ機器へシグナリングされる。各サブフレームセットについて測定及びフィードバックは独立して遂行される。図１に例示したように、第１のサブフレームセットＣＳＩ＿０はマクロＡＢＳに時間合わせされた、即ちマクロのＡＢＳにより干渉されるサブフレームを測定し、第２のサブフレームセットＣＳＩ＿１はマクロの非ＡＢＳに時間合わせされた、即ちマクロＡＢＳにより干渉されるサブフレームを測定し得る。ＨｅｔＮｅｔ内のマクロセルにおいて、当該マクロセル内のユーザ機器により経験される受信電力及び／又は干渉レベルは、マクロＲＰＳＦから来るのかマクロ非ＲＰＳＦから来るのかで異なり得る。結果として、それらサブフレームについてユーザ機器において測定されるチャネル状態情報は同じではないはずであり、よって、２つのサブフレームセットＣＳＩ＿０及びＣＳＩ＿１についての測定及びフィードバックは独立的に遂行される。ＣＳＩ＿０はより低い電力を有するマクロのサブフレームのセットに対応し、ＣＳＩ＿１はより高い電力を有するマクロのサブフレームのセットに対応する。
【００１１】
各ＣＳＩサブフレームについてユーザ機器にて測定及びフィードバックが別個に行われるとしても、未解決の干渉の問題が依然として存在する。その問題とは、リファレンス信号のリソースエレメント（ＲＥ）から測定された干渉が、ＣＳＩ＿０サブフレーム及びＣＳＩ＿１サブフレームの双方について、データシンボル内のＰＤＳＣＨ  ＲＥにより経験される干渉と異なる、という点である。この干渉における相違は、干渉ミスマッチの問題を引き起こす。干渉ミスマッチの問題は、チャネル状態情報を計算するためにリファレンス信号のＲＥを使用するユーザ機器が正確なチャネル状態情報を導出しない、という結果をもたらす。
【発明の概要】
【発明が解決しようとする課題】
【００１２】
従って、ここでの実施形態の目的は、通信システムにおいてより高いスペクトル効率と共により信頼性のある通信を達成することである。
【課題を解決するための手段】
【００１３】
ここでの実施形態の第１の観点によれば、上記目的は、ユーザ機器からチャネル状態情報を取得するための第１の基地局における方法により達成される。当該第１の基地局は、無線通信システムに含まれる。当該無線通信システムは、上記ユーザ機器をさらに含む。第１の基地局は、第１のチャネル情報に基づいて、第１のサブフレームのセットについて第１のオフセット値を推定する。第１の基地局は、さらに、第２のチャネル情報に基づいて、第２のサブフレームのセットについて第２のオフセット値を推定する。上記第１のサブフレームのセットのサブフレームは第１のタイプであり、上記第２のサブフレームのセットのサブフレームは第２のタイプである。第１の基地局は、上記ユーザ機器へ、推定した上記第１のオフセット値及び推定した上記第２のオフセット値を送信する。そして、第１の基地局は、上記ユーザ機器からチャネル状態情報を取得する。当該チャネル状態情報は、送信された、推定した上記第１のオフセット値及び推定した上記第２のオフセット値に基づいている。当該チャネル状態情報は、上記第１の基地局において送信のために使用されることとなる。
【００１４】
ここでの実施形態の第２の観点によれば、上記目的は、第１の基地局へチャネル状態情報を送信するためのユーザ機器における方法により達成される。当該ユーザ機器は、無線通信システムに含まれる。当該無線通信システムは、上記第１の基地局をさらに含む。上記ユーザ機器は、第１のタイプのサブフレームについてのリファレンス信号に基づいて、第１の信号対干渉及び雑音比（ＳＩＮＲ）を推定する。上記ユーザ機器は、さらに、第２のタイプのサブフレームについてのリファレンス信号に基づいて、第２のＳＩＮＲを推定する。上記ユーザ機器は、上記第１の基地局から、上記第１のタイプのサブフレームについての第１のオフセット値及びサブフレームの上記第２のタイプについての第２のオフセット値を受信する。上記ユーザ機器は、推定した上記第１のＳＩＮＲ及び受信した上記第１のオフセット値に基づいて、第１の補償されたＳＩＮＲを生成し、及び、推定した上記第２のＳＩＮＲ及び受信した上記第２のオフセット値に基づいて、第２の補償されたＳＩＮＲを生成する。上記ユーザ機器は、さらに、生成した上記第１の補償されたＳＩＮＲ及び生成した上記第２の補償されたＳＩＮＲに基づいて、チャネル状態情報を計算する。そして、上記ユーザ機器は、計算した上記チャネル状態情報を上記第１の基地局へ送信する。
【００１５】
ここでの実施形態の第３の観点によれば、上記目的は、ユーザ機器からチャネル状態情報を取得するように構成される第１の基地局により達成される。当該第１の基地局は、無線通信システムに含まれる。当該無線通信システムは、上記ユーザ機器をさらに含む。上記第１の基地局は、第１のチャネル情報に基づいて第１のサブフレームのセットについて第１のオフセット値を推定し、及び、第２のチャネル情報に基づいて第２のサブフレームのセットについて第２のオフセット値を推定する、ように構成される推定回路、を備える。上記第１のサブフレームのセットのサブフレームは第１のタイプであり、上記第２のサブフレームのセットのサブフレームは第２のタイプである。上記第１の基地局は、上記ユーザ機器へ、上記第１のサブフレームのセットについての推定された上記第１のオフセット値及び上記第２のサブフレームのセットについての推定された上記第２のオフセット値を送信するように構成される第１の送信回路、をさらに備える。上記第１の基地局は、上記ユーザ機器からチャネル状態情報を取得するように構成される第１の受信回路、をさらに備える。上記チャネル状態情報は、送信された、推定された上記第１のオフセット値及び推定された上記第２のオフセット値に基づいており、上記チャネル状態情報は、上記第１の基地局において送信のために使用されることとなる。
【００１６】
ここでの実施形態の第４の観点によれば、上記目的は、第１の基地局へチャネル状態情報を送信するように構成されるユーザ機器により達成される。当該ユーザ機器は、無線通信システムに含まる。当該無線通信システムは、上記第１の基地局をさらに含む。上記ユーザ機器は、第１のタイプのサブフレームについてのリファレンス信号に基づいて、第１の信号対干渉及び雑音比（ＳＩＮＲ）を推定し、第２のタイプのサブフレームについてのリファレンス信号に基づいて、第２の信号対干渉及び雑音比（ＳＩＮＲ）を推定する、ように構成される推定回路、を備える。上記ユーザ機器は、上記第１の基地局から、第１のタイプのサブフレームについての第１のオフセット値を受信し及びサブフレームの第２のタイプについての第２のオフセット値を受信する、ように構成される第１の受信回路、をさらに備える。上記ユーザ機器は、推定された上記第１のＳＩＮＲ及び受信された上記第１のオフセット値に基づいて、第１の補償されたＳＩＮＲを生成し、及び推定された上記第２のＳＩＮＲ及び受信された上記第２のオフセット値に基づいて、第２の補償されたＳＩＮＲを生成する、ように構成される生成回路、をさらに備える。上記ユーザ機器は、生成された上記第１の補償されたＳＩＮＲ及び生成された上記第２の補償されたＳＩＮＲに基づいて、チャネル状態情報を計算するように構成される計算回路、をさらに備える。上記ユーザ機器は、計算された上記チャネル状態情報を上記第１の基地局へ送信するように構成される送信回路、をさらに備える。
【発明の効果】
【００１７】
計算されるチャネル状態情報は第１のオフセット値及び第２のオフセット値の双方に基づくため、より正確なチャネル状態情報が計算される。より正確なチャネル状態情報は、第１の基地局において、無線通信システム内の１つ以上の送信信号をその時点のチャネル条件に適合させるために使用される。よって、より正確なチャネル状態情報を計算することにより、無線通信システムにおけるより高いスペクトル効率と共に信頼し得る通信が達成される。
【００１８】
ここで説明される実施形態による利点は、チャネル状態情報がＡＢＳ（Almost  Blank  Subframes）及び非ＡＢＳの双方において良好に測定され及び補償され得ることである。
【００１９】
ここで説明される実施形態による他の利点は、ネットワーク性能が有意に改善し得ることである。正確なチャネル状態情報によって、チャネルに適合するように最適化された変調符号化方式を選択することができ、より多いチャネルキャパシティを獲得することができる。さらに、正確なチャネル状態情報によって、より正確なスケジューリングを用いることができる。よって、ネットワーク性能は有意に改善し得る。
【図面の簡単な説明】
【００２０】
ここでの実施形態の例は、次の添付図面を参照しながらより詳細に説明される。
【００２１】
【図１】様々なサブフレームにおける干渉の一例を示す図である。
【図２】無線通信システム内の実施形態を示す概略ブロック図である。
【図３】シグナリング図及びフローチャートの組合せである。
【図４】基地局における方法の実施形態を説明するフローチャートである。
【図５】ユーザ機器における方法の実施形態を説明するフローチャートである。
【図６】基地局における方法のステップ群の実施形態を説明するフローチャートである。
【図７】基地局を示すブロック図である。
【図８】ユーザ機器を示すブロック図である。
【発明を実施するための形態】
【００２２】
以下の非限定的な説明において実施形態が例示されるであろう。
【００２３】
図２は、ここでの実施形態が実装され得る、ＨｅｔＮｅｔ２００といった無線通信システム２００を描いている。無線通信システム２００は、Ｅ−ＵＴＲＡＮ、ＷｉＭＡＸ又は他の何らかの類似の技術といった様々な技術のために構成されてよい。
【００２４】
無線通信システム２００は、第１の基地局２１０を含む。第１の基地局２１０は、第１のセル２０２へサービスしている無線基地局である。無線通信システム２００は、いくつかの実施形態において、第２の基地局２１２をさらに含み得る。第２の基地局２１２は、第２のセル２０４へサービスしている無線基地局である。この例において、第１の基地局２１０及び第２の基地局２１２は、例えばｅＮＢ、ｅＮｏｄｅＢ若しくはホームＮｏｄｅＢ、ホームｅＮｏｄｅＢ、ＷｉＭＡＸ基地局、又は、無線通信システム２００内のマシンタイプ通信デバイスのユーザ機器へサービスを提供可能な他の任意のネットワークユニット、であり得る無線ネットワークノードである。第１の基地局２１０は、例えば、高い送信電力で動作する基地局であっても低い送信電力で動作する基地局であってもよい。第２の基地局もまた、例えば、高い送信電力で動作する基地局であっても低い送信電力で動作する基地局であってもよい。高い送信電力で動作する基地局は、ここではマクロ基地局と呼ばれるが、加害側（aggressor）基地局又は高電力基地局といった他の用語で言及されてもよい。より低い送信電力で動作する基地局は、ここではピコ基地局と呼ばれるが、マイクロ、低電力、被害側（victim）又はフェムト基地局といった他の用語で言及されてもよい。ピコ基地局は、さらに、スタンドアローン基地局、リレー、又はＲＲＨ（Remote  Radio  Head）ともいう遠隔無線ユニット（ＲＲＵ）という用語によって言及されてもよい。第１の基地局２１０は、例えば、ピコ基地局又はマクロ基地局であり得る。第２の基地局２１２もまた、例えば、ピコ基地局又はマクロ基地局であり得る。
【００２５】
第１のセル２０２内には１つ以上のユーザ機器２２２が位置し、第２のセル２０４内には１つ以上のユーザ機器２２４が位置する。第１の基地局２１０によりサービスされるセル２０２内にユーザ機器２２２が存在する場合に、ユーザ機器２２２は、無線リンク上で第１の基地局２１０を介して無線通信システム２００の範囲内で通信するように構成される。第２の基地局２１２によりサービスされるセル２０４内にユーザ機器２２４が存在する場合に、ユーザ機器２２４は、無線リンク上で第２の基地局２１２を介して無線通信システム２００の範囲内で通信するように構成される。ユーザ機器２２２、２２４は、例えば、無線ケイパビリティを有する、移動端末若しくは無線端末、携帯電話、デバイス、ラップトップ、ＰＤＡ（Personal  Digital  Assistant）若しくはサーフプレートということもあるタブレットコンピュータ、又は無線通信システム２００において無線リンク上で通信可能な他の任意の無線ネットワークユニットであってよい。
【００２６】
ここでの実施形態を展開する一部として、まず問題が識別され議論されるであろう。検知されてきたのは、第１の基地局２１０において、第１のタイプのサブフレーム及び第２のタイプのサブフレームの双方について、リファレンス信号のＲＥで測定される干渉レベル及び／又は所望信号の受信電力が、ＰＤＳＣＨのＲＥで測定されるそれとマッチしない（mismatch）ことである。リファレンス信号のＲＥとＰＤＳＣＨのＲＥとの間のミスマッチのレベルは、第１のタイプのサブフレーム及び第２のタイプのサブフレームについて有意に異なる。第１のタイプのサブフレームは、ＡＢＳによって干渉されるサブフレームであってよく、第２のタイプのサブフレームは、非ＡＢＳによって干渉されるサブフレームであってよい。それはまた、リファレンス信号が衝突型の共通リファレンス信号（ＣＲＳ）、非衝突型のＣＲＳ、又はチャネル状態情報リファレンス信号（ＣＳＩ−ＲＳ）であるのかにも依存して異なる。
【００２７】
第１の基地局２１０における干渉のミスマッチをハンドリングするために、より正確なチャネル状態情報のフィードバックがユーザ機器２２２から取得される必要がある。ここで説明する実施形態によって、これが達成される。例えば、第１の基地局は、第１のオフセット値及び第２のオフセット値を計算する。その２つのオフセット値は、ユーザ機器２２２へ送信され、第１のタイプのサブフレーム及び第２のタイプのサブフレームについての干渉における差異及び／又は受信信号電力における差異を考慮に入れて、ユーザ機器がサブフレームの各セットについてチャネル状態情報を計算すること、を可能とし得る。基地局は、２つのオフセット値に基づくチャネル状態情報を取得し、よってより正確なチャネル状態情報のフィードバックが獲得される。
【００２８】
次に、図３に描かれたシグナリング図及びフローチャートの組合せを参照しながら、チャネル状態情報を取得するための方法の実施形態について説明する。当該方法の実施形態は、他の適した順序で遂行されてもよい以下のアクションを含み、以下に説明される。
【００２９】
［アクション３０１］
第１の基地局２１０は、２つのオフセット値、即ち第１のサブフレームのセットについての第１のオフセット値及び第２のサブフレームのセットについての第２のオフセット値を推定する。２つのオフセット値は、リファレンス信号のＲＥで測定される第１の信号対干渉及び雑音比（ＳＩＮＲ）とＰＤＳＣＨのＲＥで測定される第２のＳＩＮＲとの間の比率差（ratio  difference）を推定することにより推定され得る。ＳＩＮＲは、無線接続の品質を測定する手法として無線通信システムで使用される。比率差は、サブフレームの異なるセットでの干渉における差異、及び／又はサブフレームの異なるセットでの受信信号電力における差異を示し得る。２つのオフセット値は、干渉における差異及び／又は受信信号電力における差異を考慮に入れてユーザ機器２２２がサブフレームの各セットについてチャネル状態情報を計算することを可能とし得る。第１のサブフレームのセットのサブフレームは、第１のタイプであり、第２のサブフレームのセットのサブフレームは、第２のタイプである。２つのオフセット値の推定は、それぞれ第１のチャネル情報に及び第２のチャネル情報に基づく。第１のチャネル情報及び第２のチャネル情報は、同じであっても異なるチャネル情報であってもよい。第１及び第２のチャネル情報は、負荷情報、位置情報、アウターループリンク適応動作の統計、リファレンス信号値、及び他のチャネル情報、のうちの１つ以上を含み得る。いくつかの実施形態において、第１及び第２のチャネル情報は、ユーザ機器２２２から過去に受信されているかもしれない。第１のオフセット値及び第２のオフセット値がいかに推定されるかは、後にさらに説明されるであろう。第１のタイプのサブフレーム及び第２のタイプのサブフレームがいかに判定されるかもまた、後にさらに説明されるであろう。
【００３０】
［アクション３０２］
ユーザ機器２２２は、リファレンス信号に基づいて、信号対干渉及び雑音比（ＳＩＮＲ）を推定する。これは、ユーザ機器２２２が第１のタイプのサブフレームについてのリファレンス信号に基づいて第１のＳＩＮＲを、及び第２のタイプのサブフレームについてのリファレンス信号に基づいて第２のＳＩＮＲを推定することを意味する。いかにＳＩＮＲが推定されるかは、後にさらに説明されるであろう。ＳＩＮＲは、ユーザ機器２２２が以下のアクション３０５において説明されるチャネル状態情報を計算することを可能とするために推定される。第１のタイプのサブフレームについてのリファレンス信号及び第２のタイプのサブフレームについてのリファレンス信号は、チャネルインパルス応答、干渉、及び雑音レベルのうちの１つ以上を推定するために使用され得る。リファレンス信号を用いることにより通信チャネルについてチャネルインパルス応答、干渉、及び雑音レベルが推定され、チャネルの品質が判定されてよい。いくつかの実施形態において、第１のＳＩＮＲ及び第２のＳＩＮＲを推定するために、推定されたチャネルインパルス応答、干渉、及び雑音レベルのうちの上記１つ以上が使用され得る。いくつかの実施形態において、リファレンス信号は、ＣＲＳ又はＣＳＩ−ＲＳであり得る。いくつかの実施形態において、リファレンス信号は、第１の基地局２１０から過去に受信されているかもしれない。
【００３１】
［アクション３０３］
第１の基地局２１０は、複数のオフセット値、即ち第１のオフセット値及び第２のオフセット値を送信し、それらはユーザ機器２２２により受信される。第１の基地局２１０は、サブフレームの異なるセットでの干渉及び／若しくは所望信号の受信電力における差異、並びに／又はサブフレームの異なるセットでの受信信号電力における差異を示すために、それらオフセット値を送信し得る。これらオフセット値は、以下のアクション３０５におけるチャネル状態情報の計算の際に使用される。
【００３２】
［アクション３０４］
ユーザ機器２２２は、２つの補償されたＳＩＮＲ、即ち第１の補償されたＳＩＮＲ及び第２の補償されたＳＩＮＲを生成する。第１の補償されたＳＩＮＲは、アクション３０２において推定された第１のＳＩＮＲに基づいて、及びアクション３０３において受信された第１のオフセット値に基づいて生成される。第２の補償されたＳＩＮＲは、アクション３０２において推定された第２のＳＩＮＲに基づいて、及びアクション３０３において受信された第２のオフセット値に基づいて生成される。補償されたＳＩＮＲがいかに生成され得るかは、後にさらに説明されるであろう。ユーザ機器２２２は、以下のアクション３０５においてチャネル状態情報をより正確に計算することが可能となるように、２つの補償されたＳＩＮＲを生成する。
【００３３】
［アクション３０５］
ユーザ機器２２２は、さらに、アクション３０４において生成された第１の補償されたＳＩＮＲ及びアクション３０４において生成された第２の補償されたＳＩＮＲに基づいて、チャネル状態情報を計算する。チャネル状態情報は、第１の基地局２１０が適切な送信フォーマット及び適切な送信方式を選択することを支援するために、よって無線通信システム２００におけるより高いスペクトル効率と共により信頼し得る通信を達成するために計算される。チャネル状態情報は、ＣＱＩ、ＰＭＩ及びＲＩのうちの１つ以上を含み得る。ＣＱＩ、ＰＭＩ及び／又はＲＩは、アクション３０４において生成された第１の補償されたＳＩＮＲ、アクション３０４において生成された第２の補償されたＳＩＮＲ、アクション３０２において推定された推定チャネルインパルス応答、アクション３０２において推定された干渉、及びアクション３０２において推定された雑音レベル、のうちの１つ以上に基づいて推定され得る。推定チャネルインパルス応答、干渉、及び／又は雑音レベルは、第１のタイプ及び第２のタイプについてのリファレンス信号に基づいて推定され得る。チャネル状態情報、ＣＱＩ、ＰＭＩ及びＲＩがいかに計算され得るかは、後にさらに説明されるであろう。
【００３４】
［アクション３０６］
ユーザ機器２２２は、アクション３０５において計算されたチャネル状態情報を第１の基地局２１０へ送信し、それによりチャネル状態情報は第１の基地局２１０によって取得される。次に、第１の基地局２１０は、第１の基地局２１０における伝送のために当該チャネル状態情報を使用し得る。チャネル状態情報は、第１の基地局２１０が適切な（suitable）送信フォーマット及び適切な送信方式を選択することを支援し得る。適切な送信フォーマット及び適切な送信方式との用語は、妥当な（appropriate）送信フォーマット及び妥当な送信方式として言及されてもよい。その妥当な及び／又は適切な送信フォーマット及び送信方式は、送信信号及びＣＳＩに依存して第１の基地局２１０によって判定される。チャネル状態情報は、よって、スペクトル効率を効率的に利用し、よって無線通信システム２００におけるより高いスペクトル効率と共により信頼し得る通信を達成するために使用され得る。
【００３５】
次に、図４に描かれたフローチャートを参照しながら、第１の基地局２１０の視点から見た場合の、ユーザ機器２２２からチャネル状態情報を取得するための方法について説明する。上で言及したように、第１の基地局２１０は無線通信システム２００に含まれ、無線通信システム２００はユーザ機器２２２をさらに含む。本方法は、他の任意の適した順序で遂行されてもよい以下のアクションを含み、以下に説明される。いくつかの実施形態においてのみ実行されるアクションは、破線のボックスでマーク付けされている。
【００３６】
［アクション４０１］
いくつかの実施形態において、無線通信システム２００は、少なくとも１つの第２の基地局２１２をさらに含む。それら実施形態において、第１の基地局２１０は、ユーザ機器２２２からチャネル情報を受信する。チャネル情報は、第１の基地局２１０についてのリファレンス信号値、及び第２の基地局２１２についての第２のリファレンス信号値を含み得る。チャネル情報は、第１のチャネル情報及び第２のチャネル情報の双方として使用されてもよい。リファレンス信号値は、リファレンス信号受信電力（ＲＳＲＰ）であってもよい。ＲＳＲＰ値は、第１の基地局２１０又は第２の基地局２１２についてのリファレンス信号の受信電力を示し得る。
【００３７】
［アクション４０２］
いくつかの実施形態において、第１の基地局２１０は、アクション４０１で受信された第１の基地局２１０についてのリファレンス信号値と、アクション４０１で受信された第２の基地局２１２についての第２のリファレンス信号値との間の差異を判定する。当該差異は、以下のアクション４０３及び４０４において、リファレンス信号のＲＥで測定される第１のＳＩＮＲとＰＤＳＣＨのＲＥで測定される第２のＳＩＮＲとの間の比率差を推定する際に使用され得る。
【００３８】
［アクション４０３］
第１の基地局２１０は、第１のチャネル情報に基づいて、第１のサブフレームのセットについての第１のオフセット値を推定する。第１のサブフレームのセットのサブフレームは、第１のタイプである。
【００３９】
いくつかの実施形態において、第１のチャネル情報は、負荷情報、位置情報、アウターループリンク適応動作の統計、リファレンス信号値、及び他のチャネル情報、のうちの１つ以上を含み得る。リファレンス信号値は、ユーザ機器２２２から受信されてもよい。リファレンス信号値は、代替的に、第１の基地局２１０により推定されてもよい。第１のチャネル情報は、以下のアクション４０４における第２のチャネル情報と同一であっても異なるチャネル情報であってもよい。
【００４０】
いくつかの実施形態によれば、第１の基地局２１０は、第１のサブフレームのセットについて、リファレンス信号のＲＥで測定される第１のＳＩＮＲとＰＤＳＣＨのＲＥで測定される第２のＳＩＮＲとの間の比率差を推定することにより、第１のオフセット値を推定する。当該比率差は、異なるサブフレームのセットでの干渉における差異、及び／又は異なるサブフレームのセットでの所望信号の受信電力における差異を示し得る。
【００４１】
いくつかの実施形態において、第１の基地局２１０は、第１のサブフレームのセットについての第１のＳＩＮＲ及び第２のＳＩＮＲの変化を追跡することにより、上記比率差を推定する。
【００４２】
いくつかの実施形態によれば、無線通信システム２００は、少なくとも１つの第２の基地局２１２をさらに含む。それら実施形態において、第１の基地局２１０は第１のピコ基地局であってよく、第２の基地局２１２はマクロ基地局又は第２のピコ基地局のいずれかであってよい。第１の基地局２１０は、少なくとも第２の基地局２１２における対応するサブフレームの干渉パターンに基づいて第１の基地局２１０におけるサブフレーム群を第１のタイプへと分割することにより、第１のタイプのサブフレームを判定する。ピコ基地局は、第２の基地局２１２からバックホールを介して干渉パターンを含む情報を受信し得る。
【００４３】
いくつかの実施形態において、無線通信システム２００は、少なくとも１つの第２の基地局２１２をさらに含む。それら実施形態において、第１の基地局２１０はピコ基地局であってよく、第２の基地局２１２はマクロ基地局であってよい。第１のタイプのサブフレームは、第２の基地局２１２におけるＡＢＳ又はＲＰＳＦにより干渉される第１の基地局２１０におけるサブフレームである。ＡＢＳは、いくつかの物理チャネル上で送信電力の低減された若しくは送信電力の無い、及び／又はアクティビティの低減されたサブフレームである。ダウンリンク送信電力の低減されたＡＢＳは、ＲＰＳＦとも呼ばれ得る。ピコ基地局は、第２の基地局２１２からバックホールを介して、第２の基地局２１２におけるＡＢＳ又はＲＰＳＦの構成を含む情報を受信し得る。
【００４４】
いくつかの実施形態によれば、無線通信システム２００は、少なくとも１つの第２の基地局２１２をさらに含む。それら実施形態において、第１の基地局２１０はマクロ基地局であってよく、第２の基地局２１２はピコ基地局であってよい。第１のタイプのサブフレームは、第１の基地局２１０におけるＡＢＳ又はＲＰＳＦである。
【００４５】
［アクション４０４］
第１の基地局２１０は、第２のチャネル情報に基づいて、第２のサブフレームのセットについての第２のオフセット値を推定する。第２のサブフレームのセットのサブフレームは、第２のタイプである。
【００４６】
いくつかの実施形態において、第２のチャネル情報は、負荷情報、位置情報、アウターループリンク適応動作の統計、リファレンス信号値、及び他のチャネル情報、のうちの１つ以上を含み得る。リファレンス信号値は、ユーザ機器２２２から受信されてもよい。リファレンス信号値は、代替的に、第１の基地局２１０により推定されてもよい。第２のチャネル情報は、上のアクション４０３における第１のチャネル情報と同一であっても異なるチャネル情報であってもよい。
【００４７】
いくつかの実施形態によれば、第１の基地局２１０は、第２のサブフレームのセットについて、リファレンス信号のＲＥで測定されるＳＩＮＲとＰＤＳＣＨのＲＥで測定される第２のＳＩＮＲとの間の比率差を推定することにより、第２のオフセット値を推定する。
【００４８】
いくつかの実施形態において、第１の基地局２１０は、第２のサブフレームのセットについての第１のＳＩＮＲ及び第２のＳＩＮＲの変化を追跡することにより、上記比率差を推定する。当該比率差は、異なるサブフレームのセットでの干渉における差異、及び／又は異なるサブフレームのセットでの所望信号の受信電力における差異を示し得る。
【００４９】
いくつかの実施形態によれば、無線通信システム２００は、少なくとも１つの第２の基地局２１２をさらに含む。それら実施形態において、第１の基地局２１０は第１のピコ基地局であってよく、第２の基地局２１２はマクロ基地局又は第２のピコ基地局のいずれかであってよい。第１の基地局２１０は、少なくとも第２の基地局２１２における対応するサブフレームの干渉パターンに基づいて第１の基地局２１０におけるサブフレーム群を第２のタイプへ及び第１のタイプへと分割することにより、第２のタイプのサブフレームを判定する。ピコ基地局は、第２の基地局２１２からバックホールを介して干渉パターンを含む情報を受信し得る。
【００５０】
いくつかの実施形態において、無線通信システム２００は、少なくとも１つの第２の基地局２１２をさらに含む。それら実施形態において、第１の基地局２１０はピコ基地局であってよく、第２の基地局２１２はマクロ基地局であってよい。第２のタイプのサブフレームは、第２の基地局２１２における非ＡＢＳ又は非ＲＰＳＦにより干渉される第１の基地局２１０におけるサブフレームである。ピコ基地局は、第２の基地局２１２からバックホールを介して、第２の基地局２１２におけるＡＢＳ及び非ＡＢＳ又はＲＰＳＦ及び非ＲＰＳＦの構成を含む情報を受信し得る。
【００５１】
代替的に、第１の基地局２１０はマクロ基地局であってもよく、第２の基地局２１２はピコ基地局であってもよい。第２のタイプのサブフレームは、第１の基地局２１０における非ＡＢＳ又は非ＲＰＳＦである。アクション４０３及び４０４は、上述したアクション３０１に対応する。
【００５２】
［アクション４０５］
第１の基地局２１０は、アクション４０３で推定した第１のオフセット値及びアクション４０４で推定した第２のオフセット値を、ユーザ機器２２２へ送信する。本アクションは、上述したアクション３０３に対応する。
【００５３】
いくつかの実施形態において、第１の基地局２１０は、図６に描いたフローチャートを参照しながら後に説明するアクション６０１、６０２及び６０３をさらに実行する。
【００５４】
いくつかの実施形態において、第１の基地局２１０は、図６に描いたフローチャートを参照しながら後に説明するアクション６０４及び６０５をさらに実行する。
【００５５】
いくつかの実施形態において、第１の基地局２１０は、図６に描いたフローチャートを参照しながら後に説明するアクション６０６、６０７、６０８及び６０９をさらに実行する。
【００５６】
［アクション４０６］
第１の基地局２１０は、第１の電力レベル値をユーザ機器２２２へ送信してもよい。第１の電力レベル値は、双方のサブフレームのセットについて、ＰＤＳＣＨのＲＥの電力レベルとＣＲＳのＲＥの電力レベルとの間の想定される比を示し得る。
【００５７】
第１の基地局２１０は、第１のサブフレームのセットについての第２の電力レベル値と、第２のサブフレームのセットについての第３の電力レベル値とを、ユーザ機器２２２へさらに送信してもよい。第２の電力レベル値は、第１のサブフレームのセットについてのＰＤＳＣＨのＲＥの電力レベルとＣＲＳのＲＥの電力レベルとの間の想定される比を示し得る。第３の電力レベル値は、第２のサブフレームのセットについてのＰＤＳＣＨのＲＥの電力レベルとＣＲＳのＲＥの電力レベルとの間の想定される比を示し得る。ＰＤＳＣＨのＲＥの電力レベルとＣＲＳのＲＥの電力レベルとの間の想定される比は、無線通信システム２００におけるチャネル情報の構成に従って判定されてよい。電力レベルと共にオフセット値をユーザ機器へ送信することにより、干渉のミスマッチ及び送信電力の差異の双方を、後にアクション５０８において説明されるチャネル状態情報の計算の際に算入し得る。よって、無線通信システム２００におけるより高いスペクトル効率と共により信頼し得る通信が達成される。第１の電力レベル値、第２の電力レベル値及び第３の電力レベル値をいかに判定しうるかは、後にさらに説明される。
【００５８】
［アクション４０７］
第１の基地局２１０は、ユーザ機器２２２からチャネル状態情報を取得する。チャネル状態情報は、推定された第１のオフセット値及び推定された第２のオフセット値に基づく。チャネル状態情報は、第１の基地局における伝送のために使用され得る。チャネル状態情報は、送信信号をその時点のチャネル条件に適合させるために使用され、よって、無線通信システム２００におけるより高いスペクトル効率と共により信頼し得る通信が達成される。本アクションは、上述したアクション３０６に対応する。
【００５９】
次に、図６に描いたフローチャートを参照しながら、上のアクション４０５についてさらに説明する。上述したように、第１の基地局２１０は、無線通信システム２００に含まれる。無線通信システム２００は、ユーザ機器２２２をさらに含む。本方法は、以下に説明するものとは別の任意の適した順序で遂行されてもよい以下のアクションを含む。
【００６０】
［アクション６０１］
第１の基地局２１０は、第４の電力レベル値を判定する。第４の電力レベル値は、第１のサブフレームのセットについての、ＰＤＳＣＨのＲＥの電力レベルとＣＳＩ−ＲＳのＲＥの電力レベルとの間の想定される比を示し得る。第４の電力レベル値がいかに判定され得るかは、後にさらに説明される。
【００６１】
［アクション６０２］
第１の基地局２１０は、第５の電力レベル値を判定する。第５の電力レベル値は、第２のサブフレームのセットについての、ＰＤＳＣＨのＲＥの電力レベルとＣＳＩ−ＲＳのＲＥの電力レベルとの間の想定される比を示し得る。ＰＤＳＣＨのＲＥの電力レベルとＣＳＩ−ＲＳのＲＥの電力レベルとの間の想定される比は、無線通信システム２００におけるチャネル状態情報の構成に従って判定されてもよい。いくつかの実施形態において、第１の基地局２１０からユーザ機器２２２へＣＳＩ−ＲＳが送信され、１つの目的は、ＰＤＳＣＨについて、最適化された変調符号化方式（ＭＣＳ）及び送信方式を得ることである。推定される比は、ＣＳＩ−ＲＳとＰＤＳＣＨとの間で電力レベルの差異を補償するために使用され得る。第５の電力レベル値がいかに判定され得るかは、後にさらに説明される。
【００６２】
［アクション６０３］
第１の基地局２１０は、アクション６０１で判定された第４の電力レベル値及びアクション６０２で判定された第５の電力レベル値を、ユーザ機器２２２へ送信する。推定された第１のオフセット値は第４の電力レベル値によって暗黙的にシグナリングされ、推定された第２のオフセット値は、第５の電力レベル値によって暗黙的にシグナリングされ得る。２つのオフセット値を暗黙的に含み得る電力レベルをユーザ機器へ送信することにより、干渉のミスマッチ及び送信電力の差異の双方を、後にアクション５０８において説明されるチャネル状態情報の計算の際に算入し得る。よって、無線通信システム２００におけるより高いスペクトル効率と共により信頼し得る通信が達成される。
【００６３】
［アクション６０４］
第１の基地局２１０は、第６の電力レベル値を判定する。第６の電力レベル値は、双方のサブフレームのセットについてのＰＤＳＣＨのＲＥの電力レベルとＣＳＩ−ＲＳのＲＥの電力レベルとの間の想定される比を示し得る。想定される比は、上のアクション６０２において説明したように判定されてよい。第６の電力レベル値がいかに判定され得るかは、後にさらに説明される。
【００６４】
［アクション６０５］
第１の基地局２１０は、アクション６０４で判定した第６の電力レベル値を、ユーザ機器２２２へ送信する。推定された第１のオフセット値及び推定された第２のオフセット値は、第６の電力レベル値によって暗黙的にシグナリングされ得る。２つのオフセット値を暗黙的に含み得る電力レベルをユーザ機器へ送信することにより、干渉のミスマッチ及び送信電力の差異の双方を、後にアクション５０８において説明されるチャネル状態情報の計算の際に算入し得る。よって、無線通信システム２００におけるより高いスペクトル効率と共により信頼し得る通信が達成される。
【００６５】
［アクション６０６］
第１の基地局２１０は、第７の電力レベル値を判定する。第７の電力レベル値は、第１のサブフレームのセット又は第２のサブフレームのセットについてのＰＤＳＣＨのＲＥの電力レベルとＣＳＩ−ＲＳのＲＥの電力レベルとの間の想定される比を示し得る。想定される比は、上のアクション６０２において説明したように判定されてよい。第７の電力レベル値がいかに判定され得るかは、後にさらに説明される。
【００６６】
［アクション６０７］
第１の基地局２１０は、第８の電力レベル値を判定する。第８の電力レベル値は、第１のサブフレームのセットについてのＰＤＳＣＨのＲＥの電力レベルとＣＲＳのＲＥの電力レベルとの間の想定される比を示し得る。想定される比は、上のアクション６０２において説明したように判定されてよい。第８の電力レベル値がいかに判定され得るかは、後にさらに説明される。
【００６７】
［アクション６０８］
第１の基地局２１０は、第９の電力レベル値を判定する。第９の電力レベル値は、第２のサブフレームのセットについてＰＤＳＣＨのＲＥの電力レベルとＣＲＳのＲＥの電力レベルとの間の想定される比を示し得る。想定される比は、上のアクション６０２において説明したように判定されてよい。第９の電力レベル値がいかに判定され得るかは、後にさらに説明される。
【００６８】
［アクション６０９］
第１の基地局２１０は、アクション６０６で判定した第７の電力レベル値、アクション６０７で判定した第８の電力レベル値及びアクション６０８で判定した第９の電力レベル値を、ユーザ機器２２２へ送信する。推定された第１のオフセット値は、第７の電力レベル値によって暗黙的にシグナリングされ、推定された第２のオフセット値は、第７の電力レベル値、第８の電力レベル値及び第９の電力レベル値によって暗黙的にシグナリングされ得る。２つのオフセット値を暗黙的に含み得る電力レベルをユーザ機器へ送信することにより、干渉のミスマッチ及び送信電力の差異の双方を、後にアクション５０８において説明されるチャネル状態情報の計算の際に算入し得る。よって、無線通信システム２００におけるより高いスペクトル効率と共により信頼し得る通信が達成される。
【００６９】
図４及び図６に関連して上で説明したユーザ機器２２２からのチャネル状態情報を取得するための方法のアクションを実行するために、基地局２１０は、図７に描いた次の構成を備える。上述したように、第１の基地局２１０は、無線通信システム２００に含まれる。無線通信システム２００は、ユーザ機器２２２をさらに含む。無線通信システム２００は、少なくとも第２の基地局２１２をさらに含む。
【００７０】
第１の基地局２１０は、第１のチャネル情報に基づいて、そのサブフレームが第１のタイプである第１のサブフレームのセットについて第１のオフセット値を推定し、第２のチャネル情報に基づいて、そのサブフレームが第２のタイプである第２のサブフレームのセットについて第２のオフセット値を推定する、ように構成される推定回路７０１を備える。
【００７１】
第１のチャネル情報及び／又は第２のチャネル情報は、負荷情報、位置情報、アウターループリンク適応動作の統計、リファレンス信号値、及び他のチャネル情報、のうちの１つ以上を含み得る。
【００７２】
推定回路７０１は、それぞれ第１のサブフレームのタイプ及び第２のサブフレームのタイプについて、リファレンス信号のＲＥで測定される第１のＳＩＮＲとＰＤＳＣＨのＲＥで測定される第２のＳＩＮＲとの間の比率差を推定することにより、第１のオフセット値を推定し及び第２のオフセット値を推定する、ようにさらに構成される。
【００７３】
上記比率差は、第１のサブフレームのセットについて及び第２のサブフレームのセットについて別々に、第１のＳＩＮＲ及び第２のＳＩＮＲの変化を追跡することにより推定され得る。
【００７４】
無線通信システム２００は、少なくとも１つの第２の基地局２１２をさらに含み、第１の基地局２１０は第１のピコ基地局であってよく、第２の基地局はマクロ基地局又は第２のピコ基地局のいずれかであってよい。第１のタイプのサブフレーム及び第２のタイプのサブフレームは、少なくとも第２の基地局２１２における対応するサブフレームの干渉パターンに基づいて第１の基地局２１０におけるサブフレーム群を第１及び第２のタイプへと分割することにより決定される。
【００７５】
第１の基地局２１０はピコ基地局であってよく、第２の基地局２１２はマクロ基地局であってもよい。第１のタイプのサブフレームは、第２の基地局２１２におけるＡＢＳ又はＲＰＳＦにより干渉される第１の基地局２１０におけるサブフレームであり、第２のタイプのサブフレームは、第２の基地局２１２における非ＡＢＳ又は非ＲＰＳＦにより干渉される第１の基地局２１０におけるサブフレームである。
【００７６】
第１の基地局２１０はマクロ基地局であってもよく、第２の基地局２１２はピコ基地局であってもよい。第１のタイプのサブフレームは、第１の基地局２１０におけるＡＢＳ又はＲＰＳＦであり、第２のタイプのサブフレームは、第１の基地局２１０における非ＡＢＳ又は非ＲＰＳＦである。
【００７７】
第１の基地局２１０は、ユーザ機器２２２へ、第１のサブフレームのセットについての推定された第１のオフセット値及び第２のサブフレームのセットについての推定された第２のオフセット値を送信するように構成される第１の送信回路７０２、をさらに備える。
【００７８】
第１の送信回路７０２は、第４の電力レベル値を判定するようにさらに構成されてもよい。第４の電力レベル値は、第１のサブフレームのセットについてのＰＤＳＣＨのＲＥの電力レベルとＣＳＩ−ＲＳのＲＥの電力レベルとの間の想定される比を示し得る。
【００７９】
第１の送信回路７０２は、第５の電力レベル値を判定するようにさらに構成されてもよい。第５の電力レベル値は、第２のサブフレームのセットについてＰＤＳＣＨのＲＥの電力レベルとＣＳＩ−ＲＳのＲＥの電力レベルとの間の想定される比を示し得る。
【００８０】
第１の送信回路７０２は、判定された第４の電力レベル値と、判定された第５の電力レベル値とを、ユーザ機器２２２へ送信するようにさらに構成されてもよい。推定された第１のオフセット値は第４の電力レベル値によって暗黙的にシグナリングされ、推定された第２のオフセット値は第５の電力レベル値によって暗黙的にシグナリングされ得る。
【００８１】
第１の送信回路７０２は、第６の電力レベル値を判定するようにさらに構成されてもよい。第６の電力レベル値は、双方のサブフレームのセットについてのＰＤＳＣＨのＲＥの電力レベルとＣＳＩ−ＲＳのＲＥの電力レベルとの間の想定される比を示し得る。
【００８２】
第１の送信回路７０２は、判定された第６の電力レベル値を、ユーザ機器２２２へ送信するようにさらに構成されてもよい。推定された第１のオフセット値及び推定された第２のオフセット値は、第６の電力レベル値によって暗黙的にシグナリングされ得る。
【００８３】
第１の送信回路７０２は、第７の電力レベル値を判定するようにさらに構成されてもよい。第７の電力レベル値は、第１のサブフレームのセット又は第２のサブフレームのセットについてのＰＤＳＣＨのＲＥの電力レベルとＣＳＩ−ＲＳのＲＥの電力レベルとの間の想定される比を示し得る。
【００８４】
第１の送信回路７０２は、第８の電力レベル値を判定するようにさらに構成されてもよい。第８の電力レベル値は、第１のサブフレームのセットについてのＰＤＳＣＨのＲＥの電力レベルとＣＲＳのＲＥの電力レベルとの間の想定される比を示し得る。
【００８５】
第１の送信回路７０２は、第９の電力レベル値を判定するようにさらに構成されてもよい。第９の電力レベル値は、第２のサブフレームのセットについてＰＤＳＣＨのＲＥの電力レベルとＣＲＳのＲＥの電力レベルとの間の想定される比を示し得る。
【００８６】
第１の送信回路７０２は、判定された第７の電力レベル値、第８の電力レベル値及び第９の電力レベル値を、ユーザ機器２２２へ送信するようにさらに構成されてもよい。推定された第１のオフセット値は第７の電力レベル値によって暗黙的にシグナリングされ、推定された第２のオフセット値は、第７の電力レベル値、第８の電力レベル値及び第９の電力レベル値によって暗黙的にシグナリングされ得る。
【００８７】
第１の基地局２１０は、ユーザ機器２２２からチャネル状態情報を取得するように構成される第１の受信回路７０３、をさらに備える。チャネル状態情報は、推定された第１のオフセット値及び推定された第２のオフセット値に基づいてよい。チャネル状態情報は、第１の基地局２１０において送信のために使用され得る。
【００８８】
いくつかの実施形態において、第１の基地局２１０は、ユーザ機器２２２からチャネル情報を受信するように構成される第２の受信回路７０４、をさらに備える。当該チャネル情報は、第１の基地局２１０についてのリファレンス信号値及び第２の基地局２１２についての第２のリファレンス信号値を含み得る。当該チャネル情報は、第１のチャネル情報及び第２のチャネル情報の双方として使用されてもよい。リファレンス信号値は、ＲＳＲＰ値であってもよい。ＲＳＲＰ値は、第１の基地局２１０について及び第２の基地局２１２についてのリファレンス信号の受信電力を示し得る。
【００８９】
いくつかの実施形態において、第１の基地局２１０は、第１の基地局２１０についてのリファレンス信号値と第２の基地局２１２についての第２のリファレンス信号値との間の差異を判定するように構成される判定回路７０５、をさらに備える。当該差異は、リファレンス信号のＲＥで測定される第１のＳＩＮＲとＰＤＳＣＨのＲＥで測定される第２のＳＩＮＲとの間の比率差を推定する際に使用され得る。
【００９０】
いくつかの実施形態において、第１の基地局２１０は、第１の電力レベル値をユーザ機器２２２へ送信するように構成され得る第２の送信回路７０６、をさらに備える。第１の電力レベル値は、双方のサブフレームのセットについて、ＰＤＳＣＨのＲＥの電力レベルとＣＲＳのＲＥの電力レベルとの間の想定される比を示し得る。
【００９１】
第２の送信回路７０６は、第１のサブフレームのセットについての第２の電力レベル値と、第２のサブフレームのセットについての第３の電力レベル値とを、ユーザ機器２２２へ送信するようにさらに構成されてもよい。第２の電力レベル値は、第１のサブフレームのセットについてのＰＤＳＣＨのＲＥの電力レベルとＣＲＳのＲＥの電力レベルとの間の想定される比を示し得る。第３の電力レベル値は、第２のサブフレームのセットについてのＰＤＳＣＨのＲＥの電力レベルとＣＲＳのＲＥの電力レベルとの間の想定される比を示し得る。
【００９２】
チャネル状態情報を取得するためのここでの実施形態は、図７に描いた第１の基地局２１０内のプロセッサ７１０といった１つ以上のプロセッサを通じて、ここでの実施形態の機能及びアクションを実行するためのコンピュータプログラムコードと共に実装され得る。上で言及したプログラムコードは、例えば第１の基地局２１０へロードされた際にここでの実施形態を実行するためのコンピュータプログラムコードを搬送するデータキャリアの形式の、コンピュータプログラムプロダクトとして提供されてもよい。１つのそうしたキャリアは、ＣＤ  ＲＯＭディスクの形式であり得る。しかしながら、メモリスティックといった他のデータキャリアでも実現可能である。コンピュータプログラムコードは、さらに、サーバ上の純粋なプログラムコードとして提供され、第１の基地局２１０へダウンロードされてもよい。
【００９３】
当業者は、上述した推定回路７０１、第１の送信回路７０２、第１の受信回路７０３、第２の受信回路７０４、判定回路７０５、及び第２の送信回路７０６が、アナログ回路及びデジタル回路の組合せに、並びに／又は、例えばメモリ内に記憶される、プロセッサ７１０といった１つ以上のプロセッサにより実行される際に上述したように動作するソフトウェア及び／若しくはファームウェアと共に構成される１つ以上のプロセッサ、への言及であり得ることも理解するであろう。当業者は、第１の送信回路７０２及び第２の送信回路７０６が同一の回路で構成されてもよいことも理解し得る。当業者は、第１の受信回路７０３及び第２の受信回路７０４が同一の回路で構成されてもよいことも理解し得る。それらプロセッサの１つ以上と共に他のデジタルハードウェアは、単一のＡＳＩＣ（application-specific  integrated  circuit）又はいくつかのプロセッサに含まれてもよく、個々にパッケージ化されるかシステムオンチップ（ＳｏＣ）へと組み立てられるかによらず、多様なデジタルハードウェアが複数の別個のコンポーネントへ分散されてもよい。
【００９４】
次に、図５に描かれたフローチャートを参照しながら、ユーザ機器２２２の視点から見た場合の、第１の基地局２１０へチャネル状態情報を送信するための方法について説明する。上で言及したように、ユーザ機器２２２は無線通信システム２００に含まれる。無線通信システム２００は、第１の基地局２１０をさらに含む。本方法は、以下に説明するものとは別の任意の適した順序で遂行されてもよい以下のアクションを含む。
【００９５】
［アクション５０１］
いくつかの実施形態において、ユーザ機器２２２は、第１のタイプのサブフレームについてのリファレンス信号、及び第２のタイプのサブフレームについてのリファレンス信号を第１の基地局２１０から受信する。当該リファレンス信号は、ＣＲＳ又はＣＳＩ−ＲＳであってよい。
【００９６】
［アクション５０２］
ユーザ機器２２２は、第１のタイプのサブフレームについてのリファレンス信号に基づいて、第１のＳＩＮＲを推定する。
【００９７】
いくつかの実施形態において、ユーザ機器２２２は、チャネルインパルス応答、干渉、及び雑音レベル、のうちの１つ以上を推定するために、第１のタイプのサブフレームについてのリファレンス信号、及び第２のタイプのサブフレームについてのリファレンス信号を使用する。それら実施形態では、ユーザ機器２２２は、チャネルインパルス応答、干渉及び雑音レベルのうちの１つ以上の推定に基づいて、第１のＳＩＮＲを推定する。
【００９８】
［アクション５０３］
ユーザ機器２２２は、第２のタイプのサブフレームについてのリファレンス信号に基づいて、第２のＳＩＮＲを推定する。
【００９９】
いくつかの実施形態において、ユーザ機器２２２は、チャネルインパルス応答、干渉、及び雑音レベル、のうちの１つ以上を推定するために、第１のタイプのサブフレームについてのリファレンス信号、及び第２のタイプのサブフレームについてのリファレンス信号を使用する。それら実施形態では、ユーザ機器２２２は、チャネルインパルス応答、干渉及び雑音レベルのうちの１つ以上の推定に基づいて、第２のＳＩＮＲを推定する。
【０１００】
アクション５０２及び５０３は、上述したアクション３０２に対応する。
【０１０１】
［アクション５０４］
ユーザ機器２２２は、第１の基地局２１０から、第１のタイプのサブフレームについての第１のオフセット値及びサブフレームの第２のタイプについての第２のオフセット値を受信する。いくつかの実施形態において、ユーザ機器２２２は、第４の電力レベル値及び第５の電力レベル値を受信する。第４の電力レベル値は、第１のタイプのサブフレームについての第１のオフセット値を暗黙的に含み、第５の電力レベル値は、第２のタイプのサブフレームについての第２のオフセット値を暗黙的に含み得る。
【０１０２】
いくつかの実施形態において、ユーザ機器２２２は、第６の電力レベル値を受信する。第６の電力レベル値は、第１のタイプのサブフレームについての第１のオフセット値、及び第２のタイプのサブフレームについての第２のオフセット値を暗黙的に含み得る。
【０１０３】
いくつかの実施形態において、ユーザ機器２２２は、第７の電力レベル値、第８の電力レベル値及び第９の電力レベル値を受信する。第７の電力レベル値は、第１のタイプのサブフレームについての第１のオフセット値を暗黙的に含み、第７の電力レベル値、第８の電力レベル値及び第９の電力レベル値は、第２のタイプのサブフレームについての第２のオフセット値を暗黙的に含み得る。
【０１０４】
いくつかの実施形態において、無線通信システム２００は、少なくとも１つの第２の基地局２１２をさらに含む。それら実施形態では、第１の基地局２１０はピコ基地局であってよく、第２の基地局２１２はマクロ基地局であってよい。第１のタイプのサブフレーム及び第２のタイプのサブフレームは、第１の基地局２１０における異なるタイプのサブフレームである。第１の基地局２１０における当該サブフレームは、第２の基地局２１２におけるサブフレームにより干渉される。第１のタイプのサブフレームは、ＡＢＳ又はＲＰＳＦにより干渉されるサブフレームであり、第２のタイプのサブフレームは、非ＡＢＳ又は非ＲＰＳＦにより干渉される。
【０１０５】
いくつかの実施形態において、無線通信システム２００は、少なくとも１つの第２の基地局２１２をさらに含んでもよい。それら実施形態では、第１の基地局２１０はマクロ基地局であってよく、第２の基地局２１２はピコ基地局であってよい。第１のタイプのサブフレーム及び第２のタイプのサブフレームは、第１の基地局２１０における異なるタイプのサブフレームである。第１のタイプのサブフレームは、第１の基地局２１０におけるＡＢＳ又はＲＰＳＦであり、第２のタイプのサブフレームは、第１の基地局２１０における非ＡＢＳ又は非ＲＰＳＦである。本アクションは、上述したアクション３０３に対応する。
【０１０６】
［アクション５０５］
いくつかの実施形態において、ユーザ機器２２２は、第１の基地局２１０から第１の電力レベル値を受信する。
【０１０７】
いくつかの実施形態において、ユーザ機器２２２は、第１の基地局２１０から、第１のタイプのサブフレームについての第２の電力レベル値及び第２のタイプのサブフレームについての第３の電力レベル値を受信する
【０１０８】
［アクション５０６］
ユーザ機器２２２は、アクション５０２で推定した第１のＳＩＮＲ及びアクション５０４で受信した第１のオフセット値に基づいて、第１の補償されたＳＩＮＲを生成する。
【０１０９】
いくつかの実施形態において、ユーザ機器２２２は、アクション５０５で受信した第１の電力レベル値にさらに基づいて、上記第１の補償されたＳＩＮＲを生成する。
【０１１０】
いくつかの実施形態において、ユーザ機器２２２は、アクション５０５で受信した第２の電力レベル値にさらに基づいて、上記第１の補償されたＳＩＮＲを生成する。
【０１１１】
いくつかの実施形態において、ユーザ機器２２２は、アクション５０４で受信した第４の電力レベル値にさらに基づいて、上記第１の補償されたＳＩＮＲを生成する。
【０１１２】
いくつかの実施形態において、ユーザ機器２２２は、アクション５０４で受信した第６の電力レベル値にさらに基づいて、上記第１の補償されたＳＩＮＲを生成する。
【０１１３】
いくつかの実施形態において、ユーザ機器２２２は、アクション５０４で受信した第７の電力レベル値にさらに基づいて、上記第１の補償されたＳＩＮＲを生成する。
【０１１４】
本アクションは、上述したアクション３０４に対応する。
【０１１５】
［アクション５０７］
ユーザ機器２２２は、アクション５０３で推定した第２のＳＩＮＲ及びアクション５０４で受信した第２のオフセット値に基づいて、第２の補償されたＳＩＮＲを生成する。
【０１１６】
いくつかの実施形態において、ユーザ機器２２２は、アクション５０５で受信した第１の電力レベル値にさらに基づいて、上記第２の補償されたＳＩＮＲを生成する。
【０１１７】
いくつかの実施形態において、ユーザ機器２２２は、アクション５０５で受信した第３の電力レベル値にさらに基づいて、上記第２の補償されたＳＩＮＲを生成する。
【０１１８】
いくつかの実施形態において、ユーザ機器２２２は、アクション５０４で受信した第５の電力レベル値にさらに基づいて、上記第２の補償されたＳＩＮＲを生成する。
【０１１９】
いくつかの実施形態において、ユーザ機器２２２は、アクション５０４で受信した第６の電力レベル値にさらに基づいて、上記第２の補償されたＳＩＮＲを生成する。
【０１２０】
いくつかの実施形態において、ユーザ機器２２２は、アクション５０４で受信した第７の電力レベル値、第８の電力レベル値及び第９の電力レベル値にさらに基づいて、上記第２の補償されたＳＩＮＲを生成する。
【０１２１】
本アクションは、上述したアクション３０４に対応する。
【０１２２】
［アクション５０８］
ユーザ機器２２２は、アクション５０６において生成した第１の補償されたＳＩＮＲ及びアクション５０７において生成した第２の補償されたＳＩＮＲに基づいて、チャネル状態情報を計算する。
【０１２３】
いくつかの実施形態において、チャネル状態情報は、ＣＱＩ、ＰＭＩ及びＲＩのうちの少なくとも１つを含み、ユーザ機器２２２は、アクション５０２で推定されるチャネルインパルス応答、アクション５０２で推定される干渉、アクション５０２で推定される雑音レベル、アクション５０６で生成される第１の補償されたＳＩＮＲ及びアクション５０６で生成される第２の補償されたＳＩＮＲ、のうちの１つ以上に基づいて、ＣＱＩ、ＰＭＩ及びＲＩを計算する。
【０１２４】
上記計算は第１の補償されたＳＩＮＲ及び第２の補償されたＳＩＮＲに基づくことから、より精度の高いチャネル状態情報が計算され、よって、無線通信システム２００におけるより高いスペクトル効率と共により信頼し得る通信が達成される。
【０１２５】
本アクションは、上述したアクション３０５に対応する。
【０１２６】
［アクション５０９］
ユーザ機器２２２は、アクション５０８で計算したチャネル状態情報を第１の基地局２１０へ送信する。
【０１２７】
本アクションは、上述したアクション３０６に対応する。
【０１２８】
図５に関連して上で説明した第１の基地局２１０へチャネル状態情報を送信するための方法のアクションを実行するために、ユーザ機器２２２は、図８に描いた次の構成を備える。上述したように、ユーザ機器２２２は、無線通信システム２００に含まれる。無線通信システム２００は、第１の基地局２１０をさらに含む。無線通信システム２００は、少なくとも第２の基地局２１２をさらに含み得る。
【０１２９】
ユーザ機器２２２は、第１のタイプのサブフレームについてのリファレンス信号に基づいて第１のＳＩＮＲを推定し、第２のタイプのサブフレームについてのリファレンス信号に基づいて第２のＳＩＮＲを推定する、ように構成される推定回路８０１、を備える。
【０１３０】
第１のタイプのサブフレームについてのリファレンス信号及び第２のタイプのサブフレームについてのリファレンス信号は、チャネルインパルス応答、干渉、及び雑音レベル、のうちの１つ以上を推定するために使用されてよく、推定回路８０１は、チャネルインパルス応答、干渉、及び雑音レベルのうちの１つ以上の上記推定に基づいて、第１のＳＩＮＲ及び第２のＳＩＮＲを推定する、ようにさらに構成され得る。
【０１３１】
ユーザ機器２２２は、第１の基地局２１０から、第１のタイプのサブフレームについての第１のオフセット値を受信し及びサブフレームの第２のタイプについての第２のオフセット値を受信する、ように構成される第１の受信回路８０２、をさらに備える。
【０１３２】
いくつかの実施形態において、第１の受信回路８０２は、第４の電力レベル値及び第５の電力レベル値を受信するようにさらに構成される。第４の電力レベル値は、第１のタイプのサブフレームについての第１のオフセット値を暗黙的に含み得る。第５の電力レベル値は、第２のタイプのサブフレームについての第２のオフセット値を暗黙的に含み得る。
【０１３３】
いくつかの実施形態において、第１の受信回路８０２は、第６の電力レベル値を受信するようにさらに構成され、第６の電力レベル値は、第１のタイプのサブフレームについての第１のオフセット値、及び第２のタイプのサブフレームについての第２のオフセット値を暗黙的に含み得る。
【０１３４】
いくつかの実施形態において、第１の受信回路８０２は、第７の電力レベル値、第８の電力レベル値及び第９の電力レベル値を受信するようにさらに構成される。第７の電力レベル値は、第１のタイプのサブフレームについての第１のオフセット値を暗黙的に含み得る。第７の電力レベル値、第８の電力レベル値及び第９の電力レベル値は、第２のタイプのサブフレームについての第２のオフセット値を暗黙的に含み得る。
【０１３５】
いくつかの実施形態において、無線通信システム２００は、少なくとも１つの第２の基地局２１２をさらに含む。第１の基地局２１０はピコ基地局であってよく、第２の基地局２１２はマクロ基地局であってよい。第１のタイプのサブフレーム及び第２のタイプのサブフレームは、第１の基地局２１０における異なるタイプのサブフレームであり、第２の基地局２１２におけるサブフレームにより干渉される。第１のタイプのサブフレームは、ＡＢＳ又はＲＰＳＦにより干渉されるサブフレームであり、第２のタイプのサブフレームは、非ＡＢＳ又は非ＲＰＳＦにより干渉される。
【０１３６】
いくつかの実施形態において、無線通信システム２００は、少なくとも１つの第２の基地局２１２をさらに含む。第１の基地局２１０はマクロ基地局であってよく、第２の基地局２１２はピコ基地局であってよい。第１のタイプのサブフレーム及び第２のタイプのサブフレームは、第１の基地局２１０における異なるタイプのサブフレームである。第１のタイプのサブフレームは、第１の基地局２１０におけるＡＢＳ又はＲＰＳＦであり、第２のタイプのサブフレームは、第１の基地局２１０における非ＡＢＳ又は非ＲＰＳＦである。
【０１３７】
ユーザ機器２２２は、推定された第１のＳＩＮＲ及び受信された第１のオフセット値に基づいて、第１の補償されたＳＩＮＲを生成し、及び推定された第２のＳＩＮＲ及び受信された第２のオフセット値に基づいて、第２の補償されたＳＩＮＲを生成する、ように構成される生成回路８０３、をさらに備える。
【０１３８】
いくつかの実施形態において、生成回路８０３は、第１の基地局２１０から受信された第１の電力レベル値にさらに基づいて、第１の補償されたＳＩＮＲを生成し及び第２の補償されたＳＩＮＲを生成する、ようにさらに構成される。
【０１３９】
いくつかの実施形態において、生成回路８０３は、第１の基地局２１０からの、受信された第２の電力レベル値にさらに基づいて第１の補償されたＳＩＮＲを生成し、及び受信された第３の電力レベル値にさらに基づいて第２の補償されたＳＩＮＲを生成する、ようにさらに構成される。
【０１４０】
いくつかの実施形態において、生成回路８０３は、受信された第４の電力レベル値にさらに基づいて第１の補償されたＳＩＮＲを生成し、及び受信された第５の電力レベル値にさらに基づいて第２の補償されたＳＩＮＲを生成する、ようにさらに構成される。
【０１４１】
いくつかの実施形態において、生成回路８０３は、受信された第６の電力レベル値にさらに基づいて、第１の補償されたＳＩＮＲ及び第２の補償されたＳＩＮＲを生成する、ようにさらに構成される。
【０１４２】
いくつかの実施形態において、生成回路８０３は、受信された第７の電力レベル値にさらに基づいて第１の補償されたＳＩＮＲを生成し、及び受信された第７の電力レベル値、受信された第８の電力レベル値及び受信された第９の電力レベル値にさらに基づいて第２の補償されたＳＩＮＲを生成する、ようにさらに構成される。
【０１４３】
ユーザ機器２２２は、生成された第１の補償されたＳＩＮＲ及び生成された第２の補償されたＳＩＮＲに基づいて、チャネル状態情報を計算するように構成される計算回路８０４、をさらに備える。
【０１４４】
いくつかの実施形態において、チャネル状態情報は、ＣＱＩ、ＰＭＩ及びＲＩのうちの少なくとも１つを含み、計算回路８０４は、チャネルインパルス応答の推定、干渉の推定、雑音レベルの推定、生成された第１の補償されたＳＩＮＲ、及び生成された第２の補償されたＳＩＮＲのうちの１つ以上に基づいて、ＣＱＩ、ＰＭＩ及びＲＩを計算する、ように構成される。
【０１４５】
ユーザ機器２２２は、計算したチャネル状態情報を第１の基地局２１０へ送信するように構成される送信回路８０５、をさらに備える。
【０１４６】
いくつかの実施形態において、ユーザ機器２２２は、第１のタイプのサブフレームについてのリファレンス信号及び第２のタイプのサブフレームについてのリファレンス信号を第１の基地局２１０から受信するように構成される第２の受信回路８０６、をさらに備える。受信されるリファレンス信号は、ＣＲＳ又はＣＳＩ−ＲＳであってよい。
【０１４７】
いくつかの実施形態において、ユーザ機器２２２は、第１の基地局２１０から第１の電力レベル値を受信するように構成される第３の受信回路８０７、をさらに備える。
【０１４８】
いくつかの実施形態において、第３の受信回路８０７は、第１のタイプのサブフレームについての第２の電力レベル値及び第２のタイプのサブフレームについての第３の電力レベル値を、第１の基地局２１０から受信するようにさらに構成される。
【０１４９】
チャネル状態情報を取得するためのここでの実施形態は、図８に描いたユーザ機器２２２内のプロセッサ８１０といった１つ以上のプロセッサを通じて、ここでの実施形態の機能及びアクションを実行するためのコンピュータプログラムコードと共に実装され得る。上で言及したプログラムコードは、例えばユーザ機器２２２へロードされた際にここでの実施形態を実行するためのコンピュータプログラムコードを搬送するデータキャリアの形式の、コンピュータプログラムプロダクトとして提供されてもよい。１つのそうしたキャリアは、ＣＤ  ＲＯＭディスクの形式であり得る。しかしながら、メモリスティックといった他のデータキャリアでも実現可能である。コンピュータプログラムコードは、さらに、サーバ上の純粋なプログラムコードとして提供され、ユーザ機器２２２へダウンロードされてもよい。
【０１５０】
当業者は、上述した推定回路８０１、第１の受信回路８０２、生成回路８０３、計算回路８０４、送信回路８０５、第２の受信回路８０６及び第３の受信回路８０７が、アナログ回路及びデジタル回路の組合せに、並びに／又は、例えばメモリ内に記憶される、プロセッサ８１０といった１つ以上のプロセッサにより実行される際に上述したように動作するソフトウェア及び／若しくはファームウェアと共に構成される１つ以上のプロセッサ、への言及であり得ることも理解するであろう。当業者は、第１の受信回路８０２、第２の受信回路８０６及び第３の受信回路８０７が同一の回路で構成されてもよいことも理解するであろう。それらプロセッサの１つ以上と共に他のデジタルハードウェアは、単一のＡＳＩＣ（application-specific  integrated  circuit）又はいくつかのプロセッサに含まれてもよく、個々にパッケージ化されるかシステムオンチップ（ＳｏＣ）へと組み立てられるかによらず、多様なデジタルハードウェアが複数の別個のコンポーネントへ分散されてもよい。
【０１５１】
上のアクション４０３及び４０４は、第１の基地局２１０において第１のオフセット値及び第２のオフセット値を推定することに関連する。以下は、それらオフセット値をいかに推定し得るかの一例である。この例において、第１のオフセット値はΔoffset_0であり、第２のオフセット値はΔoffset_1である。第１のタイプのサブフレームはＣＳＩ＿０サブフレームとも言及され、第２のタイプのサブフレームはＣＳＩ＿１サブフレームとも言及される。
【０１５２】
この例において、第１のタイプのサブフレーム及び第２のタイプのサブフレームについて、我々はアウターループリンク適応（ＯＬＬＡ）の２つのセットを使用し得る。１つは第１のタイプのサブフレームのためであり、１つは第２のタイプのサブフレームのためである。第１の基地局２１０において、信号対干渉及び雑音比（ＳＩＮＲ）は、次のように補償され得る：
ＳＩＮＲcompensated＝ＳＩＮＲhypothetical−Ａoffset
ここで、
Ａoffset＝Ａoffset＋ＡStepUp  （否定応答（ＮＡＣＫ）が受信された場合）
Ａoffset＝Ａoffset−ＡStepDown  （確認応答（ＡＣＫ）が受信された場合）
であり、ＡStepUp及びＡStepDownは、目標のブロックエラーレート（ＢＬＥＲ）に基づいて決定され、ＳＩＮＲhypotheticalはフィードバックＣＱＩに基づいて取得され得る。リファレンス信号について測定された干渉がデータ、即ちＰＤＳＣＨのリソースエレメント（ＲＥ）について測定されたものと同じであれば、Ａoffsetの平均はゼロに等しい。そうでなければ、Ａoffsetの平均は、リファレンス信号とデータ、即ちＰＤＳＣＨのＲＥとで経験された干渉の間の干渉差を反映し得る。
【０１５３】
第１のタイプのサブフレーム及び第２のタイプのサブフレームについて干渉パターンは相違し得ることから、我々は、第１のタイプのサブフレーム及び第２のタイプのサブフレームについて、ＳＩＮＲの変化を別々に追跡する必要がある。例えば、ＣＳＩ＿０サブフレーム、即ち第１のタイプのサブフレームについてのＳＩＮＲの変化を捕捉するために、ＣＱＩ0、Ａoffset_0、ＳＩＮＲhypothetical_0、ＳＩＮＲcompensated_0、ＡStepDown_0、及びＡStepUp_0を使用し得る。同様に、我々は、ＣＳＩ＿１サブフレーム、即ち第２のタイプのサブフレームについてのＳＩＮＲの変化を追跡するために、ＣＱＩ1、Ａoffset_1、ＳＩＮＲhypothetical_1、ＳＩＮＲcompensated_1、ＡStepDown_1、及びＡStepUp_1を使用し得る。
【０１５４】
ＣＳＩ＿０サブフレーム及びＣＳＩ＿１サブフレームにおけるミスマッチのレベルが異なることに起因して、ＣＳＩ＿０サブフレームにおけるＡoffset_0の平均値（Ａ-offset_0とする）は、ＣＳＩ＿１サブフレームにおけるＡoffset_1の平均値（Ａ-offset_1とする）とは異なるであろう。第１のオフセット値は、ＣＳＩ＿０サブフレームにおけるＡoffset_0の平均値と等しいように設定され、即ちΔoffset_0＝Ａ-offset_0であってよく、第２のオフセット値は、ＣＳＩ＿１サブフレームにおけるＡoffset_1の平均値と等しいように設定され、即ちΔoffset_1＝Ａ-offset_1であってよい。この例は、ＣＲＳが衝突型である場合及びＣＲＳが衝突型でない場合の双方のシナリオに適用され得る。
【０１５５】
さらなる例として、ＣＲＳが衝突型である場合のシナリオについて、Ａ-offset_0の収束を早期化するために、我々は、Ａoffset_0の初期値を、ゼロに設定するよりもむしろ、例えば第２の基地局２１２といったマクロ基地局と例えば第１の基地局２１０といったピコ基地局との間のＲＳＲＰの差に設定し得る。ＲＳＲＰの差は、マクロ基地局からのＲＳＲＰの値とピコ基地局からのＲＳＲＰの値との間の差を判定することにより判定される。マクロ基地局は代替的に第１の基地局２１０であってもよく、ピコ基地局は代替的に第２の基地局２１２であってもよい。さらなる例として、ＣＲＳが非衝突型である場合のシナリオについて、Ａ-offset_0の収束を早期化するために、Ａoffset_0の初期値を設定する際に１つ以上のＲＳＲＰ値が使用されてもよい。この例において、初期値Ａoffset_0は、１つ以上のＲＳＲＰ値の関数として設定され得る。ＲＳＲＰ値を用いてＡ-offset_0の収束を早期化することは、小規模のパケット群について、及びユーザ機器２２２が高速で移動する場合に、非常に有益である。
【０１５６】
上のアクション４０６は、推定された第１のオフセット値Δoffset_0及び推定された第２のオフセット値Δoffset_1をユーザ機器へ送信することに関連する。以下は、アクション４０６において説明した様々な実施形態がいかに実行され得るかの例である。
【０１５７】
リファレンス信号がＣＲＳであってチャネル測定のために使用され、かつ第１の基地局２１０がピコ基地局である場合、Δoffset_0及びΔoffset_1は、より上位のレイヤによりシグナリングされるパラメータである第１の電力レベル値ＰAと共に、明示的なシグナリングであってよく、それは、ＰＤＳＣＨのＲＥ群の中での、セル固有リファレンス信号のリソースエレメント別エネルギー（ＥＰＲＥ）に対するＰＤＳＣＨのＥＰＲＥの比を反映する。第１の基地局２１０はピコ基地局ＰｅＮＢであることから、ＰAが全てのサブフレームについて使用され、即ち、ピコ基地局において全てのサブフレームが同じ電力レベルを有する。電力レベル値と共にオフセット値を送信することにより、干渉のミスマッチ及び送信電力の差異の双方を、ユーザ機器においてチャネル状態情報を計算する際に算入し得る。
【０１５８】
リファレンス信号がＣＲＳであってチャネル測定のために使用され、かつ第１の基地局２１０がマクロ基地局ＭｅＮＢである場合、ＲＰＳＥ（電力削減サブフレーム）及び非ＲＰＳＥについて２つの異なる比が使用され得る。その２つの異なる比を、第２の電力レベル値ＰA0及び第３の電力レベル値ＰA1と称し得る。Δoffset_0及びΔoffset_1は、第２の電力レベル値ＰA0及び第３の電力レベル値ＰA1と共に、明示的なシグナリングであってよい。第２の電力レベル値は、第１のサブフレームのセットについてのＰＤＳＣＨのＲＥの電力レベルとＣＲＳのＲＥの電力レベルとの間の想定される比を示し、第３の電力レベル値は、第２のサブフレームのセットについてのＰＤＳＣＨのＲＥの電力レベルとＣＲＳのＲＥの電力レベルとの間の想定される比を示す。電力レベルと共にオフセット値を送信することにより、干渉のミスマッチ及び送信電力の差異の双方を、ユーザ機器においてチャネル状態情報を計算する際に算入し得る。
【０１５９】
上のアクション６０１〜６０９は、推定された第１のオフセット値Δoffset_0及び推定された第２のオフセット値Δoffset_1をユーザ機器へ暗黙的に送信することに関連する。以下は、アクション６０１〜６０９において説明した様々な実施形態がいかに実行され得るかの例である。リファレンス信号がＣＳＩ−ＲＳであってチャネル測定のために使用される場合、Δoffset_0及びΔoffset_1は明示的にはシグナリングされない。
【０１６０】
上述したアクション６０１〜６０３との関連において、ＣＳＩ＿０サブフレーム及びＣＳＩ＿１サブフレームについて２つの電力レベル値がシグナリングされ、即ち第４の電力レベル値ＰC0及び第５の電力レベル値ＰC1である。アクション６０１〜６０３は、第１の基地局２１０がピコ基地局である場合及びマクロ基地局である場合の双方に適用可能である。ユーザ機器がＣＳＩ＿０サブフレームにおいてチャネル状態情報フィードバックを導出する際、第４の電力レベル値が使用される。そうでない場合、第５の電力レベル値が使用される。ここで、ＰC0及びＰC1は、それぞれΔoffset_0及びΔoffset_1により決定される。例えば、ＰC0＝Δoffset_0及びＰC1＝Δoffset_1である。ＰC0は、ユーザ機器がチャネル状態情報フィードバックを導出する際の、第１のタイプのサブフレームであるＣＳＩ＿０サブフレームについてのＣＳＩ−ＲＳのＥＰＲＥに対するＰＤＳＣＨのＥＰＲＥの想定される比である。また、ＰC1は、ユーザ機器がチャネル状態情報フィードバックを導出する際の、第２のタイプのサブフレームであるＣＳＩ＿１サブフレームについてのＣＳＩ−ＲＳのＥＰＲＥに対するＰＤＳＣＨのＥＰＲＥの想定される比である。２つのオフセット値を暗黙的に含む電力レベルをユーザ機器へ送信することにより、干渉のミスマッチ及び送信電力の差異の双方を、ユーザ機器においてチャネル状態情報の計算の際に算入し得る。
【０１６１】
上述したアクション６０４〜６０５との関連において、第６の電力レベル値ＰCが判定され得る。アクション６０４〜６０５は、第１の基地局２１０がピコ基地局である場合に関連する。第６の電力レベル値は、ユーザ機器がチャネル状態情報フィードバックを導出する際の、ＣＳＩ−ＲＳのＥＰＲＥに対するＰＤＳＣＨのＥＰＲＥの想定される比である。第６の電力レベル値は、Δoffset_0及びΔoffset_1の双方を暗黙的に含む。ピコのユーザ機器について、ＰCは、第１のタイプのサブフレーム又は第２のタイプのサブフレームのいずれにおいても直接的に使用され得る。２つのオフセット値を暗黙的に含む電力レベルをユーザ機器へ送信することにより、干渉のミスマッチ及び送信電力の差異の双方を、ユーザ機器においてチャネル状態情報の計算の際に算入し得る。
【０１６２】
上述したアクション６０６〜６０９との関連において、第７の電力レベル値ＰD、第８の電力レベル値ＰA0及び第９の電力レベル値ＰA1が判定される。上のアクション６０６〜６０９は、第１の基地局２１０がマクロ基地局である場合に関連する。マクロのユーザ機器について、ＰDは、非ＲＰＳＦ（又はＲＰＳＦサブフレーム）におけるチャネル状態情報フィードバックをユーザ機器が導出する際の、ＣＳＩ−ＲＳのＥＰＲＥに対するＰＤＳＣＨのＥＰＲＥの比である。よって、非ＲＰＳＦ（又はＲＰＳＦサブフレーム）についてチャネル状態情報フィードバックをユーザ機器が導出する際にＰDは直接的に使用され得る。ＲＰＳＦ（非ＲＰＳＦサブフレーム）についてチャネル状態情報フィードバックをユーザ機器が導出する際には、ユーザ機器は、まず、ＰD、ＰA0及びＰA1に基づいて上記比を導出するものとする。例えば、ユーザ機器においてＳＩＮＲの補償を行うために使用される値は、ＰA0−ＰA1＋ＰD又はＰA1−ＰA0＋ＰDに等しいであろう。ここで、ＰDは、Δoffset_1又はΔoffset_0によって決定され、即ちＰD＝Δoffset_0又はＰD＝Δoffset_1である。よって、第７の電力レベル値は、第１のサブフレームのセット又は第２のサブフレームのセットのいずれのためにも判定されてよい。
【０１６３】
上のアクション５０２〜５０８は、ユーザ機器２２２においてチャネル状態情報を計算することに関連する。以下は、これがいかに実行されるかの様々な例である。これら例において、第１のタイプのサブフレームはＣＳＩ＿０サブフレームとしても言及され、第２のタイプのサブフレームはＣＳＩ＿１サブフレームとしても言及され得る。
【０１６４】
上のアクション５０２及び５０４は、第１のＳＩＮＲ及び第２のＳＩＮＲが推定されることを説明している。以下は、それらＳＩＮＲをいかに推定するかの一例である。
【０１６５】
ユーザ機器２２２は、ＣＳＩ−ＲＳ又はＣＲＳから、チャネルインパルス応答Ｈ、並びに、干渉Ｉ及び雑音レベルσを推定し得る。Ｈ、Ｉ及びσによって、次のように推定ＳＩＮＲを取得し得る：
ＳＩＮＲest(UE)＝ｆ（Ｈ，Ｉ，σ）
ここで、ｆ（・）は関数である。同関数は、チャネル推定アルゴリズム及び受信機アルゴリズムによって決定される。ＣＳＩ＿０サブフレーム及びＣＳＩ＿１サブフレームについて、推定ＳＩＮＲは相違し、ＳＩＮＲest0(UE)及びＳＩＮＲest1(UE)と表記される。
【０１６６】
上のアクション５０６及び５０７は、ユーザ機器２２２が第１の補償されたＳＩＮＲ及び第２の補償されたＳＩＮＲを生成することを説明している。以下は、それがいかに行われるかの一例である。
【０１６７】
ユーザ機器がピコのユーザ機器である場合、即ちユーザ機器がピコ基地局によりサービスされている場合、ピコの当該ユーザ機器は、全てのサブフレームについてＰＤＳＣＨ及びリファレンス信号が同じ電力を使用していることを認識（see）し、但しＣＳＩ＿０サブフレーム及びＣＳＩ＿１サブフレームにおいて異なる干渉が存在することをも認識し得る。ユーザ機器がマクロのユーザ機器である場合、即ちユーザ機器がマクロ基地局によりサービスされている場合、マクロの当該ユーザ機器は、ＰＤＳＣＨ及びリファレンス信号がＲＰＳＦ及び非ＲＰＳＦについて異なる電力を使用していること、及び異なる干渉も存在し得ることを認識し得る。よって、ＳＩＮＲの補償は相違する。よって、以下の例において、ピコのユーザ機器とマクロのユーザ機器とで別々に、ＳＩＮＲの補償を説明するセクションを分けて用いる。
【０１６８】
［ピコのユーザ機器におけるＳＩＮＲ補償の例］
リファレンス信号の特性に従って、ＳＩＮＲ補償を議論する以下のサブセクションは２つに分割される。１つのサブセクションはＣＲＳが使用される場合の補償を議論するためのものであり、１つのサブセクションはＣＳＩ−ＲＳが使用される場合の補償を議論するためのものである。補償の観点からは、シグナリングが相違し得ることから、補償もそれに応じて相違する。
【０１６９】
［ＣＲＳが使用される場合のピコのユーザ機器におけるＳＩＮＲ補償］
ＣＳＩ＿０サブフレーム、即ち第１のタイプのサブフレームにおけるチャネル状態情報の計算のために、セル固有リファレンス信号のＥＰＲＥに対するＰＤＳＣＨのＥＰＲＥの比ρA0は、次のように想定されるものとする：
−ユーザ機器が４個のセル固有アンテナポートと共に送信モード２で、又は４個のセル固有アンテナポートと共に送信モード３で構成され、関連付けられるＲＩが１に等しい場合、任意の変調方式について、ρA0＝ＰA＋Δoffset_0＋10ｌｏｇ10(2)ｄＢ
−上記以外の場合、任意の変調方式及び任意のレイヤ数について、ρA0＝ＰA＋Δoffset_0ｄＢ
【０１７０】
ＣＳＩ＿１サブフレーム、即ち第２のタイプのサブフレームにおけるチャネル状態情報の計算のために、セル固有リファレンス信号のＥＰＲＥに対するＰＤＳＣＨのＥＰＲＥの比ρA1は、次のように想定されるものとする：
−ユーザ機器が４個のセル固有アンテナポートと共に送信モード２で、又は４個のセル固有アンテナポートと共に送信モード３で構成され、関連付けられるＲＩが１に等しい場合、任意の変調方式について、ρA1＝ＰA＋Δoffset_1＋10ｌｏｇ10(2)ｄＢ
−上記以外の場合、任意の変調方式及び任意のレイヤ数について、ρA1＝ＰA＋Δoffset_1ｄＢ
ＰAは、より上位のレイヤによるパラメータシグナリングであり、ＰＤＳＣＨのＲＥ群の中での、セル固有リファレンス信号のＥＰＲＥに対する物理ダウンリンク共有チャネル（ＰＤＳＣＨ）のリソースエレメント別エネルギー（ＥＰＲＥ）の比を反映する。
【０１７１】
留意すべきこととして、ＣＲＳ及びＰＤＳＣＨの送信電力は、全てのサブフレームについて同じである。よって、ＰAは、ＣＳＩ＿０サブフレーム及びＣＳＩ＿１サブフレームについて同じである。補償されたＳＩＮＲは、ＳＩＮＲcompensated(UE)＝ｇ１（Ｈ，Ｉ，σ，ρA）によって与えられ得る。ここで、ｇ１（・）は関数である。例えば、ｇ１（・）は、次のように与えられ得る：ｇ１（Ｈ，Ｉ，σ，ρA）＝ρA0ｆ（Ｈ，Ｉ，σ）
よって、ＣＳＩ＿０サブフレームにおける補償されたＳＩＮＲであるＳＩＮＲcompensated(UE)は、次のように与えられ得る：
ＳＩＮＲcompensated0(UE)＝ρA0ＳＩＮＲest0(UE)
また、ＣＳＩ＿１サブフレームにおける補償されたＳＩＮＲは、次のように与えられ得る：
ＳＩＮＲcompensated1(UE)＝ρA1ＳＩＮＲest1(UE)
【０１７２】
［ＣＳＩ−ＲＳが使用される場合のピコのユーザ機器におけるＳＩＮＲ補償］
ＣＳＩ−ＲＳが使用される場合、ＣＳＩ＿０サブフレーム及びＣＳＩ＿１サブフレームにおける補償されたＳＩＮＲは、次のように与えられ得る：
ＳＩＮＲcompensated0(UE)＝ｇ3（Ｈ，Ｉ，σ，ρc0）
ＳＩＮＲcompensated1(UE)＝ｇ4（Ｈ，Ｉ，σ，ρc1）
ここで、ｇ3（・）及びｇ4（・）は関数である。例えば、ｇ3（・）及びｇ4（・）は、次のように与えられ得る：
ｇ3（Ｈ，Ｉ，σ，ρA）＝Ｐc0ｆ（Ｈ，Ｉ，σ）
ｇ4（Ｈ，Ｉ，σ，ρA）＝Ｐc1ｆ（Ｈ，Ｉ，σ）
【０１７３】
よって、ＣＳＩ＿０サブフレームにおける補償されたＳＩＮＲであるＳＩＮＲcompensated(UE)は、次のように与えられ得る：
ＳＩＮＲcompensated0(UE)＝Ｐc0ＳＩＮＲest0(UE)
また、ＣＳＩ＿１サブフレームにおける補償されたＳＩＮＲは、次のように与えられ得る：
ＳＩＮＲcompensated1(UE)＝Ｐc1ＳＩＮＲest1(UE)
ＰC0は第４の電力レベル値であり、ＰC1は第５の電力レベル値であり、上述したように、第１の基地局２１０から送信される。
【０１７４】
代替的に、ＣＳＩ−ＲＳが使用される場合、ＣＳＩ＿０サブフレーム及びＣＳＩ＿１サブフレームにおける補償されたＳＩＮＲは、次のように与えられてもよい：
ＳＩＮＲcompensated0(UE)＝ＰcＳＩＮＲest0(UE)
ＳＩＮＲcompensated1(UE)＝ＰcＳＩＮＲest1(UE)
ＰCは、上述したように第１の基地局２１０から送信される第６の電力レベル値である。
【０１７５】
［マクロのユーザ機器におけるＳＩＮＲ補償の例］
ピコのユーザ機器におけるＳＩＮＲ補償と同様に、使用されるリファレンス信号に従って、マクロのユーザ機器におけるＳＩＮＲ補償を説明するために以下の２つのサブセクションを使用する。
【０１７６】
［ＣＲＳが使用される場合のマクロのユーザ機器におけるＳＩＮＲ補償］
マクロのユーザ機器のために、ＲＰＳＦ（低減電力サブフレーム）が構成され得る。ＲＰＳＦにおいてチャネル状態情報が計算される場合、セル固有リファレンス信号のＥＰＲＥに対するＰＤＳＣＨのＥＰＲＥの比は、次のように想定されるものとする：
−ユーザ機器が４個のセル固有アンテナポートと共に送信モード２で、又は４個のセル固有アンテナポートと共に送信モード３で構成され、関連付けられるＲＩが１に等しい場合、任意の変調方式について、ρA1＝ＰA0＋Δoffset_0＋10ｌｏｇ10(2)ｄＢ
−上記以外の場合、任意の変調方式及び任意のレイヤ数について、ρA1＝ＰA0＋Δoffset_0ｄＢ
非ＲＰＳＦサブフレームにおいてチャネル状態情報が計算される場合、セル固有リファレンス信号のＥＰＲＥに対するＰＤＳＣＨのＥＰＲＥの比は、次のように想定されるものとする：
−ユーザ機器が４個のセル固有アンテナポートと共に送信モード２で、又は４個のセル固有アンテナポートと共に送信モード３で構成され、関連付けられるＲＩが１に等しい場合、任意の変調方式について、ρA2＝ＰA1＋Δoffset_1＋10ｌｏｇ10(2)ｄＢ
−上記以外の場合、任意の変調方式及び任意のレイヤ数について、ρA2＝ＰA1＋Δoffset_1ｄＢ
【０１７７】
留意すべきこととして、ＣＲＳ及びＰＤＳＣＨの送信電力は異なるサブフレームについて異なり、ＰＤＳＣＨの送信電力もまた同じではない。よって、２つの電力レベル値ＰA0及びＰA1が、ＲＰＳＦ及び非ＲＰＳＦについて別々に使用される。ＰA0は第２の電力レベル値であり、ＰA1は第３の電力レベル値であり、上述したように、第１の基地局２１０から送信される。
【０１７８】
補償されたＳＩＮＲは、次のように与えられ得る：
ＳＩＮＲcompensated(UE)＝ｇ2（Ｈ，Ｉ，σ，ρA）
ここで、ｇ2（・）は関数である。例えば、ｇ2は、次のように与えられ得る：
ｇ2（Ｈ，Ｉ，σ，ρA）＝ρAｆ（Ｈ，Ｉ，σ）
よって、ＲＰＳＦについて、ＳＩＮＲcompensated(UE)は、次のように与えられ得る：
ＳＩＮＲcompensated-RPSF(UE)＝ρA1ＳＩＮＲest-RPSF(UE)
一方、通常のサブフレームについて、ＳＩＮＲcompensated(UE)は、次のように与えられ得る：
ＳＩＮＲcompensated-non-RPSF(UE)＝ρA2ＳＩＮＲest-non-RPSF(UE)
【０１７９】
［ＣＳＩ−ＲＳが使用される場合のマクロのユーザ機器におけるＳＩＮＲ補償］
ＣＳＩ−ＲＳが使用される場合、ＣＳＩ＿０サブフレーム及びＣＳＩ＿１サブフレームにおける補償されたＳＩＮＲは、次のように与えられ得る：
ＳＩＮＲcompensated0(UE)＝ｇ3（Ｈ，Ｉ，σ，Ｐc0）
ＳＩＮＲcompensated1(UE)＝ｇ4（Ｈ，Ｉ，σ，Ｐρc1）
ここで、ｇ3（・）及びｇ4（・）は関数である。例えば、ｇ3（・）及びｇ4（・）は、次のように与えられ得る：
ｇ3（Ｈ，Ｉ，σ，ρA）＝Ｐc0ｆ（Ｈ，Ｉ，σ）
ｇ4（Ｈ，Ｉ，σ，ρA）＝Ｐc1ｆ（Ｈ，Ｉ，σ）
よって、ＣＳＩ＿０サブフレームにおける補償されたＳＩＮＲであるＳＩＮＲcompensated(UE)は、次のように与えられ得る：
ＳＩＮＲcompensated0(UE)＝Ｐc0ＳＩＮＲest0(UE)
また、ＣＳＩ＿１サブフレームにおける補償されたＳＩＮＲは、次のように与えられ得る：
ＳＩＮＲcompensated1(UE)＝Ｐc1ＳＩＮＲest1(UE)
ＰC0は第４の電力レベル値であり、ＰC1は第５の電力レベル値であり、上述したように、第１の基地局２１０から送信される。
【０１８０】
代替的に、ＣＳＩ−ＲＳが使用される場合、ＣＳＩ＿０サブフレーム及びＣＳＩ＿１サブフレームにおける補償されたＳＩＮＲは、次のように与えられてもよい：
ＣＳＩ＿０サブフレームについて、ＳＩＮＲcompensated0(UE)＝ＰDＳＩＮＲest0(UE)、及び
ＣＳＩ＿１サブフレームについて、ＳＩＮＲcompensated1(UE)＝ｇ5（ＰA0，ＰA1，ＰD）ＳＩＮＲest1(UE)
ここで、ｇ5（・）は関数である。例えば、ｇ5（ＰA0，ＰA1，ＰD）＝ＰA0−ＰA1＋ＰDであってよい。
ＰDは第７の電力レベル値、ＰA0は第８の電力レベル値、ＰA1は第９の電力レベル値であり、上述したように第１の基地局２１０から送信される。
【０１８１】
アクション５０８は、チャネル状態情報を計算することに関連する。チャネル状態情報は、ＣＱＩ、ＰＭＩ及びＲＩを含み得る。一例として、ＣＱＩ、ＰＭＩ及びＲＩは、補償されたＳＩＮＲで計算される。ＣＱＩ、ＰＭＩ及びＲＩは、推定されたチャネルインパルス応答、干渉、雑音、及び補償されたＳＩＮＲに基づいて導出される。
【０１８２】
基地局２１０及びユーザ機器２２２がここで開示された実施形態を実行可能となるように、基地局において以下のシグナリングのサポートが実装され得る。よって、ＣＱＩレポートコンフィグレーションのための無線リソース制御（ＲＲＣ）シグナリングが更新され得る。この例において、ＣＱＩレポートコンフィグレーションは、ＣＱＩ、ＰＭＩ及びＲＩのための全てのコンフィグレーションを含む。
【０１８３】
以下は、ＲＲＣシグナリングのために使用され得るオプションの２つの例である：
オプション１：ＣＳＩサブフレームセットのうちの１つ、例えばＣＳＩ＿１のためにnomPDSCH-RS-EPRE-Offset-r10を再利用し、他のＣＳＩサブフレームセット、例えばＣＳＩ＿０のために新たな値nomPDSCH-RS-EPRE-Offset2-r10を導入する。
【０１８４】
例えば、CQI-ReportConfig-r10において、次のように更新が行われ得る：
【表１】
0005875708.tif 000002
本オプションは、この高度な補償を伴わないユーザ機器との間で良好に合わせられ得る。
【０１８５】
オプション２：ＣＳＩ＿０及びＣＳＩ＿１のために２つの新たなオフセットを導入する。
例えば、以下の変更が行われ得る：
【表２】
0005875708.tif 000003
【０１８６】
“comprise”又は“comprisng”（含む／備える）が使用される場合、それは非限定的であり、即ち“少なくとも〜からなる”を意味するように解釈されるものとする。
【０１８７】
ここでの実施形態は、上述した好適な実施形態に限定されない。多様な変形、修正及び均等物が使用されてもよい。従って、上の実施形態は本発明の範囲を限定するものとされるべきではなく、本発明の範囲は添付の特許請求の範囲により定義される。
【図１】
0005875708.tif 000004
【図２】
0005875708.tif 000005
【図３】
0005875708.tif 000006
【図４】
0005875708.tif 000007
【図５】
0005875708.tif 000008
【図６】
0005875708.tif 000009
【図７】
0005875708.tif 000010
【図８】
0005875708.tif 000011